(57)【特許請求の範囲】
【請求項１】
ブロードバンド生成プラットホーム用のユーザインタフェースにおいて、
第１のユーザが複数の個人化されたメディアコンテンツアイテムを作成することを可能にする少なくとも１つのメディア作成及び編集ツールと、
上記少なくとも１つのメディア作成及び編集ツールによって作成された複数の個人化されたメディアコンテンツアイテムを記憶する記憶装置と、
上記記憶装置に記憶された複数の個人化されたメディアコンテンツアイテムの１つを選択する第１のユーザ選択操作子と、
上記複数の個人化されたメディアコンテンツアイテムのうちの選択された１つに関連した複数のサブ領域を含む表示領域を有するグラフィック表示装置と、
上記複数のサブ領域上に位置し、上記第１のユーザ選択操作子と協調して動作して、上記記憶装置に記憶された複数の個人化されたメディアコンテンツアイテムのうちの選択された１つへのリンクを、該サブ領域に配置する第２のユーザ選択操作子とを備え、
上記表示領域に配置されたリンクは、第３のユーザ選択操作子によって選択されたときに、該第３のユーザ選択操作子によって起動され、上記記憶装置に記憶されている複数の個人化されたメディアコンテンツアイテムのうちの選択された１つを、上記複数の個人化されたメディアコンテンツアイテムのうちの１つをユーザが知覚可能な形式で再生するようにプログラミングされたメディアプレーヤに、リンクすることを特徴とするユーザインタフェース。
【請求項２】
当該ユーザインタフェースを提供するようにプログラムされた少なくとも１つのサーバネットワーク装置と、
上記サーバネットワーク装置にネットワークを介して通信するように接続され、当該ユーザインタフェースにアクセスするようにプログラミングされた少なくとも１つのユーザネットワーク装置とを更に備える請求項１記載のユーザインタフェース。
【請求項３】
上記ネットワークは、インターネットを含み、当該ユーザインタフェースは、ウェブサイトを含むことを特徴とする請求項２記載のユーザインタフェース。
【請求項４】
上記個人化されたメディアコンテンツアイテムは、上記第１のユーザによって作成されたメディアコンテンツアイテム及び該第１のユーザによって編集されたメディアコンテンツアイテムのうちの少なくとも１つを含むことを特徴とする請求項１記載のユーザインタフェース。
【請求項５】
上記メディアコンテンツアイテムのダウンロード、上記メディア作成及び編集ツールのダウンロード及び資産パックのダウンロードのうちの少なくとも１つを実行する複数のウェブサイトページを更に備える請求項１記載のユーザインタフェース。
【請求項６】
上記メディアコンテンツアイテムを電子メールによって送信するユーザ選択操作子を更に備える請求項５記載のユーザインタフェース。
【請求項７】
ユーザを、関連したページ、関連したポッパー又は関連したウェブサイトのうちの少なくとも１つにリンクする少なくとも１つのユーザ選択機能リンクを更に備える請求項５記載のユーザインタフェース。
【請求項８】
上記複数のウェブサイトページは、ジャンルページ、ジャンルゾーンページ、メディア作成及び編集ツールページ、メディアコンテンツツール及び資産パックダウンロードページ、ショーケースページ、ショーケース管理ページ、共有ページ及び共有管理ページを更に備えることを特徴とする請求項５記載のユーザインタフェース。
【請求項９】
上記複数のウェブサイトページ間の移動、「体験」オプションの選択、「作成」オプションの選択、「接続」オプションの選択、「お気に入り」オプションの選択、「ログイン」オプションの選択、「検索」オプションの選択、「グラフィカルガイド」オプションの選択、「設定」オプションの選択、「アバウト」オプションの選択、「ショップ」オプションの選択及び「ヘルプ」オプションの選択のうちの少なくとも１つを行う複数のユーザ選択操作子を更に備える請求項５記載のユーザインタフェース。
【請求項１０】
上記「体験」オプションを選択するユーザ選択操作子は、「アクション」ジャンルオプション、「コメディ」ジャンルオプション、「ドラマ」ジャンルオプション、「音楽」ジャンルオプション及び「サイエンスフィクション」ジャンルオプションのうちの少なくとも１つを選択するユーザ選択操作子を更に備えることを特徴とする請求項９記載のユーザインタフェース。
【請求項１１】
上記「アクション」ジャンルオプション、「コメディ」ジャンルオプション、「ドラマ」ジャンルオプション、「音楽」ジャンルオプション及び「サイエンスフィクション」ジャンルオプションのうちの少なくとも１つを選択するユーザ選択操作子は、上記ジャンルゾーンページを選択するユーザ選択操作子を更に備えることを特徴とする請求項１０記載のユーザインタフェース。
【請求項１２】
上記メディアコンテンツアイテムの作成及び編集、上記メディアコンテンツのアップロード、上記メディアコンテンツアイテムの保存及び管理、上記メディアコンテンツアイテムの表示、上記メディアコンテンツアイテムの検索、上記メディアコンテンツアイテムの閲覧及び上記メディアコンテンツアイテムの共有のうちの少なくとも１つを行う複数のウェブサイトページを更に備えることを特徴とする請求項１記載のユーザインタフェース。
【請求項１３】
上記第１のユーザに関連したユーザショーケースページには、少なくとも１つのプロモート領域が配置されることを特徴とする請求項１２記載のユーザインタフェース。
【請求項１４】
上記第１のユーザに関連したユーザショーケースページは、上記第２のユーザによってアクセス可能であることを特徴とする請求項１３記載のユーザインタフェース。
【請求項１５】
上記メディアプレーヤは、上記メディアコンテンツアイテムを再生するポップアップウィンドウを備えることを特徴とする請求項１記載のユーザインタフェース。
【請求項１６】
上記第１乃至第３のユーザ選択操作子のうちの少なくとも１つのユーザ選択操作子は、ユーザが選択可能なプロモート画像であることを特徴とする請求項１記載のユーザインタフェース。
【請求項１７】
上記第１乃至第３のユーザ選択操作子のうちの少なくとも１つのユーザ選択操作子は、ユーザが選択可能なテキストリンクであることを特徴とする請求項１記載のユーザインタフェース。
【請求項１８】
ユーザが選択可能な写真を表示する少なくとも１つの表示領域を更に有することを特徴とする請求項１記載のユーザインタフェース。
【請求項１９】
ユーザが選択可能なオーディオクリップ及びユーザが選択可能なビデオクリップのうち少なくとも１つを表示する少なくとも１つの表示領域を更に有することを特徴とする請求項１記載のユーザインタフェース。
【請求項２０】
広告を表示する少なくとも１つの表示領域を更に有することを特徴とする請求項１記載のユーザインタフェース。
【請求項２１】
上記少なくとも１つのメディア作成及び編集ツールによって、上記第１のユーザは、上記個人化されたメディアコンテンツアイテムをオフラインで作成することができることを特徴とする請求項１記載のユーザインタフェース。
【請求項２２】
上記少なくとも１つのメディア作成及び編集ツールによって、上記第１のユーザは、上記個人化されたメディアコンテンツアイテムをオンラインで作成することができることを特徴とする請求項１記載のユーザインタフェース。
【請求項２３】
上記個人化されたメディアコンテンツアイテムは、オーディオ及びビデオコンテンツアイテムであることを特徴とする請求項１記載のユーザインタフェース。
【請求項２４】
上記第１のユーザは、メディアコンテンツセグメントを上記個人化されたメディアコンテンツアイテムに取り込むことを特徴とする請求項２３記載のユーザインタフェース。
【請求項２５】
上記個人化されたメディアコンテンツアイテムは、前に作成されていない要素を含むことを特徴とする請求項１記載のユーザインタフェース。
【請求項２６】
上記個人化されたメディアコンテンツアイテムは、それ自体がメディアコンテンツアイテムでない要素を含むことを特徴とする請求項１記載のユーザインタフェース。
【請求項２７】
上記個人化されたメディアコンテンツアイテムは、それ自体がメディアコンテンツアイテムでない少なくとも１つの要素を含むことを特徴とする請求項１記載のユーザインタフェース。
【請求項２８】
上記個人化されたメディアコンテンツアイテムは、既存のコンテンツアイテムのコピーでないことを特徴とする請求項１記載のユーザインタフェース。
【請求項２９】
上記個人化されたメディアコンテンツアイテムの少なくとも幾つかは、既存のコンテンツアイテムとは異なることを特徴とする請求項１記載のユーザインタフェース。
【請求項３０】
上記個人化されたメディアコンテンツアイテムのうちの少なくとも１つは、原作であることを特徴とする請求項１記載のユーザインタフェース。
【請求項３１】
上記個人化されたメディアコンテンツアイテムのうちの少なくとも１つは、既存の同一のコンテンツを有さない第１の元のメディアコンテンツアイテムであることを特徴とする請求項１記載のユーザインタフェース。
【請求項３２】
ユーザが個人化されたメディアコンテンツアイテムをユーザインタフェース上で公開することを可能にするメディアコンテンツアイテム公開システムにおいて、
上記ユーザインタフェースにアクセスするようにプログラミングされた少なくとも１つのユーザネットワーク装置にネットワークを介して通信するように接続され、該ユーザインタフェースを提供するようにプログラミングされた少なくとも１つのサーバネットワーク装置と、
複数の個人化されたコンテンツアイテムを作成する際に、ユーザによって用いられる少なくとも１つのメディア作成及び編集ツールと、
上記少なくとも１つのメディア作成及び編集ツールを用いて作成された複数の個人化されたメディアコンテンツアイテムを記憶する記憶装置と、
上記記憶装置に記憶された複数の個人化されたメディアコンテンツアイテムのうちの少なくとも１つへのリンクが配置されるようにそれぞれプログラミングされた第１の複数のスロットを有する第１のテンプレートと、
上記記憶装置に記憶された複数の個人化されたメディアコンテンツアイテムのうちの少なくとも１つにリンクする複数のリンクのうちの少なくとも１が、上記第１の複数のスロットにそれぞれ配置されるように、ユーザが該第１の複数のスロットを配置することを可能にするようにプログラミングされた少なくとも１つのユーザ選択操作子と、
上記記憶装置に記憶された複数の個人化されたメディアコンテンツアイテムのうちの少なくとも１つへのリンクが配置されるようにそれぞれプログラミングされた第２の複数のスロットを有する第２のテンプレートとを備え、
上記リンクが配置された第１の複数のスロットは、上記記憶装置に記憶された第１の複数の個人化されたメディアコンテンツアイテムに対応する第１の領域をユーザショーケース表示ページ上に定義し、
上記ユーザ選択操作子は、ユーザが上記第２の複数のスロットにリンクを配置することを可能にするようにプログラムされており、該第２の複数のスロットのそれぞれには、上記記憶装置に記憶されている複数の個人化されたメディアコンテンツアイテムのうちの少なくとも１つにリンクする複数のリンクのうちの少なくとも１つが配置され、該リンクが配置された第２の複数のスロットは、該記憶装置に記憶されている第２の複数の個人化されたメディアコンテンツアイテムに対応する第２の領域を上記ユーザショーケース表示ページ上に定義し、
上記第１及び第２の複数の個人化されたメディアコンテンツアイテムのユーザに知覚可能な形式での再生を、少なくとも他のユーザ選択操作子によって起動するために、上記第１及び第２の領域はそれぞれ選択可能であることを特徴とするメディアコンテンツアイテム公開システム。
【請求項３３】
上記ネットワークは、インターネットを含み、上記ユーザインタフェースは、ウェブサイトを含むことを特徴とする請求項３２記載のメディアコンテンツアイテム公開システム。
【請求項３４】
上記少なくとも１つのサーバネットワーク装置は、ユーザショーケース表示ページを、該サーバネットワーク装置にネットワークを介して通信するように接続された複数のユーザネットワーク装置に表示するように更にプログラミングされていることを特徴とする請求項３３記載のメディアコンテンツアイテム公開システム。
【請求項３５】
上記複数の個人化されたメディアコンテンツアイテムのそれぞれは、ユーザによって作成されたメディアコンテンツアイテム及び該ユーザによって編集されたメディアコンテンツのうちの少なくとも１つを含むことを特徴とする請求項３２記載のメディアコンテンツアイテム公開システム。
【請求項３６】
上記複数の個人化されたメディアコンテンツアイテムの１つをユーザが知覚可能な形式で再生するようにプログラミングされたメディアプレーヤを更に備える請求項３２記載のメディアコンテンツアイテム公開システム。
【請求項３７】
上記リンクは、上記複数の個人化されたメディアコンテンツアイテムの１つを上記メディアプレーヤにリンクするためにユーザが選択可能であることを特徴とする請求項３６記載のメディアコンテンツアイテム公開システム。
【請求項３８】
上記記憶装置は、上記サーバネットワーク装置に関連することを特徴とする請求項３２記載のメディアコンテンツアイテム公開システム。
【請求項３９】
上記少なくとも１つのユーザ選択操作子は、上記記憶装置に記憶されている個人化されたメディアコンテンツアイテムのリストをユーザに表示し、該ユーザが、該リストから個人化されたメディアコンテンツアイテムの１つを選択し、該選択された個人化されたメディアコンテンツアイテムの１つへのリンクを上記少なくとも１つのスロットに配置することを可能にするプルダウンボックスを備えることを特徴とする請求項３２記載のメディアコンテンツアイテム公開システム。
【請求項４０】
上記リンクは、ユーザが選択可能なプロモート画像であることを特徴とする請求項３２記載のメディアコンテンツアイテム公開システム。
【請求項４１】
上記ユーザが選択可能なプロモート画像は、デジタル写真であることを特徴とする請求項４０記載のメディアコンテンツアイテム公開システム。
【請求項４２】
上記ユーザが選択可能なプロモート画像は、グラフィック画像であることを特徴とする請求項４０記載のメディアコンテンツアイテム公開システム。
【請求項４３】
画像のリストから、上記ユーザが選択可能なプロモート画像を選択するユーザ選択操作子を更に備える請求項４０記載のメディアコンテンツアイテム公開システム。
【請求項４４】
上記ユーザが選択可能なプロモート画像を選択するユーザ選択操作子は、画像のリストをユーザに表示し、該ユーザが、該リストから画像を選択し、該選択された画像を上記少なくとも１つのスロットに配置することを可能にするプルダウンボックスを備えることを特徴とする請求項４３記載のメディアコンテンツアイテム公開システム。
【請求項４５】
上記リンクは、ユーザが選択可能なテキストを含むことを特徴とする請求項３２記載のメディアコンテンツアイテム公開システム。
【請求項４６】
上記個人化されたメディアコンテンツアイテムに関する情報を入力するフリーテキスト入力ボックスを更に備える請求項３２記載のメディアコンテンツアイテム公開システム。
【請求項４７】
上記情報は、上記個人化されたメディアコンテンツアイテムの名称を含むことを特徴とする請求項４６記載のメディアコンテンツアイテム公開システム。
【請求項４８】
ユーザインタフェースを含む公開システムにおいて、
上記ユーザインタフェースを提供するようにプログラムされた少なくとも１つのサーバネットワーク装置と、
上記少なくとも１つのサーバネットワーク装置にネットワークを介して通信するように接続され、上記ユーザインタフェースにアクセスするようにプログラミングされた少なくとも１つのユーザネットワーク装置とを備え、
上記ユーザインタフェースは、
メディアコンテンツアイテムに取り込むために、ユーザがアクセス可能な複数のデジタル資産と、
上記複数のデジタル資産のうちの少なくとも１つを上記メディアコンテンツアイテムに取り込み、個人化されたメディアコンテンツアイテムを作成するために、ユーザがアクセス可能な少なくとも１つのメディア作成及び編集ツールと、
上記少なくとも１つのメディア作成及び編集ツールによって作成された個人化されたメディアコンテンツアイテムを記憶する記憶領域と、
上記記憶領域に記憶された個人化されたメディアコンテンツアイテムの１つを選択する第１のユーザ選択操作子と、
上記個人化されたメディアコンテンツアイテムのうちの選択された１つに関連した複数のサブ領域を含む表示領域を有するグラフィック表示装置と、
上記複数のサブ領域上に位置し、上記第１のユーザ選択操作子と協調して動作して、上記記憶領域に記憶された複数の個人化されたメディアコンテンツアイテムのうちの選択された１つへのリンクを、該サブ領域に配置する第２のユーザ選択操作子とを備え、
上記表示領域に配置されたリンクは、第３のユーザ選択操作子によって選択されたときに、該第３のユーザ選択操作子によって起動され、上記記憶領域に記憶された複数の個人化されたメディアコンテンツアイテムのうちの選択された１つを、上記複数の個人化されたメディアコンテンツアイテムのうちの１つをユーザが知覚可能な形式で再生するようにプログラミングされたメディアプレーヤに、リンクし、
上記ユーザネットワーク装置の第１のユーザが上記個人化されたメディアコンテンツアイテムを作成し、記憶し及び表示し、該第１のユーザとは異なる第２のユーザが、上記第３のユーザ選択操作子を起動することによって、該個人化されたメディアコンテンツアイテムを該ユーザネットワーク装置を介してユーザが知覚可能な形式で再生することを可能にすることを特徴とする公開システム。
【請求項４９】
上記複数のデジタル資産は、デジタルビデオ、デジタルオーディオ、デジタル写真、デジタル図形、デジタルテキスト及びデジタルアニメーションのうちの少なくとも１つを含むことを特徴とする請求項４８記載の公開システム。
【請求項５０】
上記複数のデジタル資産は、資産パックからなることを特徴とする請求項４８記載の公開システム。
【請求項５１】
上記少なくとも１つのメディア作成及び編集ツールは、オンラインメディアコンテンツ作成及び編集ソフトウェアからなることを特徴とする請求項４８記載の公開システム。
【請求項５２】
上記オンラインメディアコンテンツ作成及び編集ソフトウェアは、ツールポッパーウィンドウ内で実行されることを特徴とする請求項５１記載の公開システム。
【請求項５３】
上記ネットワークは、インターネットを含み、上記ユーザインタフェースは、ウェブサイトを含むことを特徴とする請求項４８記載の公開システム。
【請求項５４】
上記表示領域は、ウェブサイトショーケースページを含むことを特徴とする請求項５３記載の公開システム。
【請求項５５】
上記ユーザインタフェースは、上記メディアコンテンツアイテムを作成及び編集する複数のツールアプリケーションウェブサイトページを更に備える請求項５３記載の公開システム。
【請求項５６】
上記複数のツールアプリケーションウェブサイトページのうちの少なくとも１つは、所定のテンプレート及びタイムラインのうちの少なくとも１つを備えることを特徴とする請求項５５記載の公開システム。
【請求項５７】
上記タイムラインは、ユーザによってメディアコンテンツセグメントが配置されるメディアコンテンツコンテナを備えることを特徴とする請求項５６記載の公開システム。
【請求項５８】
上記メディアコンテンツセグメントは、ビデオセグメントであることを特徴とする請求項５７記載の公開システム。
【請求項５９】
上記メディアコンテンツセグメントは、オーディオセグメントであることを特徴とする請求項５７記載の公開システム。
【請求項６０】
上記ユーザインタフェースは、上記メディア作成及び編集ツール及び上記デジタル資産のうちの少なくとも１つを上記ユーザネットワーク装置にダウンロードするダウンロードツールページを更に備える請求項５３記載の公開システム。
【請求項６１】
上記ダウンロードツールページは、ユーザがダウンロード可能なデジタル資産及びメディア作成及び編集ツールのリストを一覧表示したデジタル資産及び作成及び編集ツールリストを備えることを特徴とする請求項６０記載の公開システム。
【請求項６２】
上記ダウンロードツールページは、上記デジタル資産及び上記メディア作成及び編集ツールのうちの少なくとも１つに関する情報を提供するユーザ選択タブを更に備えることを特徴とする請求項６１記載の公開システム。
【請求項６３】
上記情報は、コンテンツのリスト、説明、クレジット、要約、著作権表示、チュートリアルのうちの少なくとも１つを含むことを特徴とする請求項６２記載の公開システム。
【請求項６４】
上記ダウンロードツールページは、上記デジタル資産の全て及び上記メディア作成及び編集ツールの全てのうちの少なくとも１つをダウンロードする「全てをダウンロード」操作子を更に備えることを特徴とする請求項６０記載の公開システム。
【請求項６５】
上記ダウンロードツールページは、上記デジタル資産の全て及び上記メディア作成及び編集ツールの全てのうちの少なくとも１つをプレビューする「全てをプレビュー」操作子を更に備えることを特徴とする請求項６０記載の公開システム。
【請求項６６】
上記デジタル資産の全て及び上記メディア作成及び編集ツールの全てのうちの少なくとも１つは、メディアポッパー内でプレビューされることを特徴とする請求項６５記載の公開システム。
【請求項６７】
上記ダウンロードツールページは、ユーザをウェブサイトの関連した領域にリンクする「関連リンク」セクションを更に備えることを特徴とする請求項６０記載の公開システム。
【請求項６８】
上記関連リンクセクションは、「体験関連リンク」、「作成関連リンク」、「接続関連リンク」、「購買関連リンク」のうちの少なくとも１つを含むことを特徴とする請求項６７記載の公開システム。
【請求項６９】
電子メディアコンテンツ作成及び公開方法において、
第１のユーザにより、少なくとも１つのメディア作成及び編集ツールを用いて、複数の個人化されたメディアコンテンツアイテムを作成及び編集するステップと、
上記少なくとも１つのメディア作成及び編集ツールを用いて作成及び編集された複数の個人化されたメディアコンテンツアイテムを記憶装置に記憶するステップと、
上記記憶装置に記憶された複数の個人化されたメディアコンテンツアイテムの１つを、第１のユーザ選択操作子を用いて選択するステップと、
上記複数の個人化されたメディアコンテンツアイテムのうちの選択された１つに関連した複数のサブ領域を含む表示領域をグラフィック表示装置に表示するステップと、
上記第１のユーザ選択操作子と協調して動作する第２のユーザ選択操作子を上記複数のサブ領域上に表示するとともに、上記記憶装置に記憶された複数の個人化されたメディアコンテンツアイテムのうちの選択された１つへのリンクを、該サブ領域に配置するステップと、
上記第１のユーザから遠隔にいる第２のユーザによってアクセス可能なインタフェースとして機能し、上記表示領域に配置された第３のユーザ選択操作子及びリンクを含むショーケース表示ページを、該第１のユーザが作成することを可能にするショーケースページ作成ツールを表示するステップと、
上記ショーケース表示ページを上記第２のユーザに表示するステップとを有し、
上記第２のユーザは、上記第３のユーザ選択操作子を選択して、上記複数の個人化されたメディアコンテンツアイテムのうちの選択された１つをユーザが知覚可能な形式で再生するために、該複数の個人化されたメディアコンテンツアイテムのうちの選択された１つへのリンクを起動することを特徴とする電子メディアコンテンツ作成及び公開方法。
【請求項７０】
上記複数の個人化されたメディアコンテンツアイテムを作成及び編集ステップは、上記メディア作成及び編集ツールを上記第１のユーザに提供し、該第１のユーザに表示されたウェブサイトページ上において該メディア作成及び編集ツールに該第１のユーザがアクセスできるようにすることを含むことを特徴とする請求項６９記載の電子メディアコンテンツ作成及び公開方法。
【請求項７１】
上記複数の個人化されたメディアコンテンツアイテムを記憶装置に記憶するステップでは、上記第１のユーザの個人化されたメディアコンテンツアイテムをウェブサイトに関連した記憶装置に記憶することを特徴とする請求項６９記載の電子メディアコンテンツ作成及び公開方法。
【請求項７２】
上記ショーケース表示ページは、ウェブサイト上に表示されることを特徴とする請求項６９記載の電子メディアコンテンツ作成及び公開方法。
【請求項７３】
上記複数の個人化されたメディアコンテンツアイテムを記憶装置に記憶するステップは、上記第１のユーザの個人化されたメディアコンテンツアイテムをアップロード及び記憶できる「記憶空間管理」ウェブサイトページを該第１のユーザに表示するステップを有することを特徴とする請求項６９記載の電子メディアコンテンツ作成及び公開方法。
【請求項７４】
上記第１のユーザの個人化されたメディアコンテンツアイテムをアップロード及び記憶できる「記憶空間管理」ウェブサイトページを第１のユーザに表示するステップは、「アップロード」ユーザ選択操作子を該「記憶空間管理」ウェブサイトページ上で該第１のユーザに表示し、メディアコンテンツファイルのディレクトリリストから選択されたメディアコンテンツファイルをアップロードするステップを更に有することを特徴とする請求項７３記載の電子メディアコンテンツ作成及び公開方法。
【請求項７５】
上記メディアコンテンツファイルのディレクトリリストから選択されたメディアコンテンツファイルをアップロードするステップは、アップロードするメディアコンテンツファイルに関する情報を入力するステップを更に有することを特徴とする請求項７４記載の電子メディアコンテンツ作成及び公開方法。
【請求項７６】
上記アップロードするメディアコンテンツファイルに関する情報を入力するステップは、メディアコンテンツの作者に関する情報、メディアコンテンツを説明する情報、メディアコンテンツ内の検索可能なキーワード、メディアコンテンツの特徴タイプ、メディアコンテンツの特徴サブタイプ、メディアコンテンツのジャンル及びメディアコンテンツのサブジャンルのうちの少なくとも１つを入力するステップを更に有することを特徴とする請求項７５記載の電子メディアコンテンツ作成及び公開方法。
【請求項７７】
上記複数の個人化されたメディアコンテンツアイテムを作成及び編集するステップは、デジタル資産を上記第１のユーザに供給し、該第１のユーザに表示されたウェブサイトページを介して、ウェブサイト上の該デジタル資産に該第１のユーザがアクセスできるようにするステップを含むことを特徴とする請求項６９記載の電子メディアコンテンツ作成及び公開方法。
【請求項７８】
ウェブサイト「共有管理」ページを用いてウェブサイト上の上記第１のユーザの個人化されたメディアコンテンツアイテムへのアクセスを提供し、「共有」に指定されたメディアコンテンツファイルのディレクトリリストを表示するステップを更に有する請求項６９記載の電子メディアコンテンツ作成及び公開方法。
【請求項７９】
上記ウェブサイト「共有管理」ページを用いてウェブサイト上の第１のユーザの個人化されたメディアコンテンツアイテムへのアクセスを提供するステップは、上記ディレクトリリストに一覧表示されたメディアコンテンツファイルに関連し、該関連したメディアコンテンツファイルのダウンロードを開始するための「ダウンロード」ユーザ選択操作子を表示するステップを更に有することを特徴とする請求項７８記載の電子メディアコンテンツ作成及び公開方法。
【請求項８０】
上記「ダウンロード」ユーザ選択操作子に関連したメディアコンテンツファイルのダウンロードを開始するステップは、上記第２のユーザのユーザネットワーク装置に該メディアコンテンツファイルをダウンロードするステップを有することを特徴とする請求項７９記載の電子メディアコンテンツ作成及び公開方法。
【請求項８１】
ユーザがユーザインタフェース上でメディアコンテンツを公開することを可能にするメディアコンテンツ公開方法において、
複数の個人化されたメディアコンテンツアイテムを作成する際に、ユーザによって用いられる少なくとも１つのメディア作成及び編集ツールをユーザに供給するステップと、
上記少なくとも１つのメディア作成及び編集ツールを用いて作成された複数の個人化されたメディアコンテンツアイテムを記憶する記憶領域をユーザに提供するステップと、
上記記憶装置に記憶された第１の複数の個人化されたメディアコンテンツアイテムのうちの少なくとも１つへのリンクが配置されるようにそれぞれプログラミングされた第１の複数のスロットを備える第１のテンプレートを上記ユーザに表示するステップと、
上記記憶装置に記憶された第２の複数の個人化されたメディアコンテンツアイテムのうちの少なくとも１つへのリンクが配置されるようにそれぞれプログラミングされた第２の複数のスロットを備える第２のテンプレートを上記ユーザに表示するステップと、
上記第１及び第２の複数の個人化されたメディアコンテンツアイテムの１つへのリンクに対応した上記第１及び第２の複数のスロットを上記ユーザが配置することを可能にするようにプログラミングされた少なくと１つのユーザ選択操作子を該ユーザに表示するステップと、
上記第１及び第２の複数のスロットにそれぞれ対応した第１及び第２の表示領域を有するユーザショーケース表示ページをユーザに提供するステップと、
上記ユーザショーケース表示ページから上記第１及び第２の領域のうちの少なくとも１つを選択して、上記第１及び第２の複数の個人化されたメディアコンテンツアイテムの対応する少なくとも１つへのリンクを起動し、該選択された個人化されたメディアコンテンツアイテムのユーザが知覚可能な形式での再生を開始するステップとを有するメディアコンテンツ公開方法。
【請求項８２】
上記ユーザインタフェースは、インターネットウェブサイトを含むことを特徴とする請求項８１記載のメディアコンテンツ公開方法。
【請求項８３】
上記ユーザショーケース表示ページは、少なくとも１つのプロモーション領域を更に有することを特徴とする請求項８１記載のメディアコンテンツ公開方法。
【請求項８４】
上記ユーザショーケース表示ページをユーザに提供するステップは、該ユーザショーケース表示ページを上記インターネットウェブサイトの複数のユーザに表示するステップを更に有することを特徴とする請求項８２記載のメディアコンテンツ公開方法。
【請求項８５】
コンピュータで実行されたときに、該コンピュータに以下の処理を実行させるためのプログラムを記録したコンピュータで読取可能な媒体において、
第１のユーザにより、少なくとも１つのメディア作成及び編集ツールを用いて、複数の個人化されたメディアコンテンツアイテムを作成及び編集するステップと、
上記少なくとも１つのメディア作成及び編集ツールを用いて作成及び編集された複数の個人化されたメディアコンテンツアイテムを記憶装置に記憶するステップと、
上記記憶装置に記憶された複数の個人化されたメディアコンテンツアイテムの１つを、第１のユーザ選択操作子を用いて選択するステップと、
上記複数の個人化されたメディアコンテンツアイテムのうちの選択された１つに関連した複数のサブ領域を含む表示領域をグラフィック表示装置に表示するステップと、
上記第１のユーザ選択操作子と協調して動作する第２のユーザ選択操作子を上記複数のサブ領域上に表示するとともに、上記記憶装置に記憶された複数の個人化されたメディアコンテンツアイテムのうちの選択された１つへのリンクを、該サブ領域に配置するステップと、
上記第１のユーザから遠隔にいる第２のユーザによってアクセス可能なインタフェースとして機能し、上記表示領域に配置された第３のユーザ選択操作子及びリンクを含むショーケース表示ページを、該第１のユーザが作成することを可能にするショーケースページ作成ツールを表示するステップと、
上記ショーケース表示ページを上記第２のユーザに表示するステップとを有し、
上記第２のユーザは、上記第３のユーザ選択操作子を選択して、上記複数の個人化されたメディアコンテンツアイテムのうちの選択された１つをユーザが知覚可能な形式で再生するために、該複数の個人化されたメディアコンテンツアイテムのうちの選択された１つへのリンクを起動することを特徴とするコンピュータで読取可能な媒体。
【請求項８６】
上記複数の個人化されたメディアコンテンツアイテムを作成及び編集ステップは、上記メディア作成及び編集ツールを上記第１のユーザに提供し、該第１のユーザに表示されたウェブサイトページ上において該メディア作成及び編集ツールに該第１のユーザがアクセスできるようにすることを含むことを特徴とする請求項８５記載のコンピュータで読取可能な媒体。
【請求項８７】
上記複数の個人化されたメディアコンテンツアイテムを作成及び編集ステップは、ダウンロードされたメディア作成及び編集ツールを用いてダウンロードされたデジタル資産を、メディアコンテンツに取り込むステップを含むことをことを特徴とする請求項８６記載のコンピュータで読取可能な媒体。
【請求項８８】
ブロードバンド生成プラットホーム用のユーザインタフェースにおいて、
第１のユーザが個人化されたメディアコンテンツアイテムを作成することを可能にする手段と、
上記作成された複数の個人化されたメディアコンテンツアイテムを記憶する記憶手段と、
上記記憶手段に記憶された複数の個人化されたメディアコンテンツアイテムの１つを選択する第１のユーザ選択操作子を用いる手段と、
上記複数の個人化されたメディアコンテンツアイテムのうちの選択された１つに関連した複数のサブ領域を含む表示領域をグラフィック表示装置に表示する手段と、
上記複数のサブ領域上に位置し、上記第１のユーザ選択操作子と協調して動作して、上記記憶手段に記憶された複数の個人化されたメディアコンテンツアイテムのうちの選択された１つへのリンクを、該サブ領域に配置する第２のユーザ選択操作子を用いる手段とを備え、
上記表示領域に配置されたリンクは、選択されたときに起動され、上記記憶手段に記憶されている複数の個人化されたメディアコンテンツアイテムのうちの選択された１つを、上記複数の個人化されたメディアコンテンツアイテムのうちの１つをユーザが知覚可能な形式で再生するようにプログラミングされたメディアプレーヤに、リンクする第３のユーザ選択操作を用いる手段とを備えるユーザインタフェース。
【請求項８９】
当該ユーザインタフェースを提供するようにプログラムされた少なくとも１つのサーバネットワーク装置と、
上記サーバネットワーク装置にネットワークを介して通信するように接続され、当該ユーザインタフェースにアクセスするようにプログラミングされた少なくとも１つのユーザネットワーク装置とを更に備える請求項８８記載のユーザインタフェース。
【請求項９０】
上記ネットワークは、インターネットを含み、当該ユーザインタフェースは、ウェブサイトを含むことを特徴とする請求項８９記載のユーザインタフェース。
【請求項９１】
上記個人化されたメディアコンテンツアイテムは、上記第１のユーザによって作成されたメディアコンテンツアイテム及び該第１のユーザによって編集されたメディアコンテンツアイテムのうちの少なくとも１つを含むことを特徴とする請求項８８記載のユーザインタフェース。
【請求項９２】
少なくとも幾つかのメディアコンテンツアイテムのダウンロード、メディア作成及び編集ツールのダウンロード及び資産パックのダウンロードのうちの少なくとも１つを実行する手段を更に備える請求項８８記載のユーザインタフェース。
【請求項９３】
上記メディアコンテンツアイテムを電子メールによって送信する手段を更に備える請求項９２記載のユーザインタフェース。
【請求項９４】
ユーザを、関連したページ、関連したポッパー又は関連したウェブサイトのうちの少なくとも１つにリンクする手段を更に備える請求項９２記載のユーザインタフェース。
【請求項９５】
上記メディアコンテンツアイテムの作成及び編集、少なくとも幾つかのメディアコンテンツのアップロード、上記メディアコンテンツアイテムの保存及び管理、上記メディアコンテンツアイテムの表示、上記メディアコンテンツアイテムの検索、上記メディアコンテンツアイテムの閲覧及び上記メディアコンテンツアイテムの共有のうちの少なくとも１つを実行する手段を更に備える請求項８８記載のユーザインタフェース。
【発明の詳細な説明】
【関連出願】
【０００１】
本出願は、２００１年６月１５日に出願した仮出願番号６０／２９８，３７２の優先権を主張し、この出願は、引用によってここに援用される。また、本出願は、２００１年７月１３日に出願した係属中の米国通常の特許出願、代理人整理番号041892-0216、発明の名称「コンテンツ管理システム及び方法（Content Management System and Process）」に関するものであり、この出願の内容は、引用によってここに援用される。
【技術分野】
【０００２】
本発明は、メディアコンテンツのオンライン公開システム及び方法に関し、特にオンラインでメディアコンテンツを作成、編集、共有及び公開するブロードバンド生成プラットホーム（broadband creativity platform）に関する。
【背景技術】
【０００３】
デジタルマルチメディアの作成及び編集技術の進歩により、より多くの人々が、自らのホームコンピュータで彼ら自身のビデオ、オーディオ及びグラフィック作品を作成するためのツールを利用できるようになった。多くの作成及び編集ツールが市場から入手可能であり、これにより非専門的なユーザが様々な作成及び編集作業を行えるようになった。このような作業は、以前は、メディア編集処理に特化したハイエンド設備を備える現場に従事するメディア編集の専門家しか行えないものであった。業務用及び非業務用機器において、個人的なコンテンツを作成及び編集することへの関心が高まり、ビデオ、オーディオ及びグラフィック作品を作成するソフトウェアツールへの要求が増大している。
【０００４】
しかしながら、作品を作成するユーザにとって、これらのツールは、高コストであり、ユーザがその使用法を習得するまでに膨大な時間が必要である。ユーザは、作品を作成したいという願望を有するが、これらのツールの利用が制限され、様々なツールの使用法を学習するために膨大な時間が必要であることが、この願望の妨げとなっている。また、専門家でないユーザの作品を他者が鑑賞する機会が制限されていることも、作品を作成するユーザの願望の妨げとなっている。自らのコンテンツをどのように作成し、編集するかを学んだ後も、専門家ではないユーザは、自らの作品のコピーを電子メールに添付して、数名の友人に送付して発表する程度の機会しか有していない。このユーザに才能があったとしても、非常に少ない人々しか、その作品を鑑賞することができない。
【０００５】
したがって、ユーザフレンドリなメディアコンテンツ作成及び編集システム及び方法の実現が望まれている。更に、ユーザが自らのメディアコンテンツをより多くの人々に公開し、他のユーザとメディアコンテンツを共有するためのメディアコンテンツ共有及び公開システム及び方法の実現が望まれている。
【発明の開示】
【課題を解決するための手段】
【０００６】
本発明は、上述した従来の技術の問題を解決するために、メディアコンテンツ作成及び公開システム及び方法を提供する。本発明の実施の形態は、１つ以上のユーザネットワーク装置と、１つ以上のユーザネットワーク装置に通信リンクによって接続された１つ以上のサーバネットワーク装置とを備えるオンライン環境内で動作する。
【０００７】
本発明の更なる実施の形態は、ユーザがアクセス及びダウンロードし、自らのメディアコンテンツアイテムを作成及び編集することができるメディア作成及び編集ツールを提供する通信リンクを介して、ユーザがアクセス可能なブロードバンド生成プラットホームを提供する。
【０００８】
本発明の更なる実施の形態は、通信リンクを介してユーザがアクセス可能であり、ユーザが自らのメディアコンテンツアイテムに取り込むことができるデジタル資産を提供するブロードバンド生成プラットホームを提供する。
【０００９】
本発明の更なる実施の形態は、通信リンクを介してユーザがアクセス可能であり、ユーザが作成したメディアコンテンツアイテムを記憶する記憶領域を提供するブロードバンド生成プラットホームを提供する。
【００１０】
本発明の更なる実施の形態は、通信リンクを介してユーザがアクセス可能であり、メディアコンテンツアイテムを保存及び管理できるツールを提供するブロードバンド生成プラットホームを提供する。
【００１１】
本発明の更なる実施の形態は、通信リンクを介してユーザがアクセス可能であり、ユーザ間でメディアコンテンツを共有できるツールを提供するブロードバンド生成プラットホームを提供する。
【００１２】
本発明の更なる実施の形態は、通信リンクを介してユーザがアクセス可能であり、メディアコンテンツアイテムを表示するためのユーザ表示ページを構成及び管理できるツールを提供するブロードバンド生成プラットホームを提供する。
【００１３】
本発明の一実施の形態においては、ブロードバンド生成プラットホームは、ウェブブラウザを介してユーザがアクセス可能なウェブサイトとして実現され、ウェブサイトは、ユーザに、複数のウェブページと他のプログラミングされた要素を表示し、これらの要素により、ユーザは、メディアコンテンツアイテムを作成及び編集し、メディアコンテンツアイテムをユーザ記憶領域に保存し、ユーザ記憶領域内のメディアコンテンツアイテムを管理し、メディアコンテンツアイテムを他のユーザと共有し、他のユーザにメディアコンテンツアイテムを表示するためのユーザショーケースページを構成及び管理でき、これによりメディアコンテンツの作成及び公開作業が容易になる。
【００１４】
本発明のこれらの及び他の目的、特徴及び利点は、図面及び特許請求の範囲と共に、以下に示す本発明の実施の形態の説明により、当業者に明らかとなる。
【発明を実施するための最良の形態】
【００１５】
以下、本発明を実施することができる特定の実施の形態を、図面を参照して説明する。本発明の範囲から逸脱することなく、他の実施の形態を用い、また、構成を変更することができることは、明らかである。
【００１６】
本発明の実施の形態は、メディアコンテンツアイテムを作成、編集、共有及び公開するメディアコンテンツ作成及び公開システム及び方法に関する。そして、具体的な実施の形態で、オンラインのメディアコンテンツアイテムの作成、編集、共有及び公開のためのブロードバンド生成プラットホーム（broadband creativity platform）に関する。具体的な実施の形態において、ブロードバンド生成プラットホームは、オンライン及びオフラインでのメディアコンテンツアイテムの作成及び編集のために必要とされるデジタル資産及びツールをユーザに提供するウェブサイトとして実現され、ユーザ間の共有メディアコンテンツアイテム及びメディアコンテンツアイテムのオンライン公開のツールとして実現される。
【００１７】
本明細書中で用いる用語「デジタル資産（digital assets）」は、ユーザ自身のメディアの作成において、ウェブサイトのユーザによって利用できるようにされたメディアコンテンツを指すものである。本明細書中で用いる用語「メディアコンテンツ（media content）」及び「メディアコンテンツアイテム（media content item）」は、デジタルのビデオ、オーディオ、写真、図形、テキスト及びアニメーションを含む全てのフォーマットの電子コンテンツ（すなわち電子形式で読み出し、処理することができるコンテンツ）を指すものである。ブロードバンド生成プラットホームのウェブサイトの実施の形態は、これらに限定されるものではないが、以下の１つ以上の機能を提供する。
【００１８】
（１）ブロードバンド生成プラットホームのユーザによって作成されたコンテンツと同様に、ウェブサイトのユーザが独立したソースより許可された創造的なメディアコンテンツを体験できる機能
（２）ブロードバンド生成プラットホームのユーザが、メディア作品及びオンライン又はオフラインのコンテンツ、例えば、これらに限定されるものではないが、ビデオ及びオーディオセグメントを作成及び編集するためのツールにアクセスできる機能
（３）ブロードバンド生成プラットホームにユーザが作成したコンテンツをアップロードできる機能
（４）ユーザが、ブロードバンド生成プラットホームによって提供された記憶領域にメディアコンテンツを保存及び管理できる機能
（５）ユーザウェブサイトの他のユーザとメディアコンテンツを共有できる機能
（６）ユーザが、ユーザに割り当てられたショーケースページ上にユーザコンテンツを表示し、ブロードバンド生成プラットホームの他のユーザによって見ることができる機能
（７）ブロードバンド生成プラットホームのメイン表示ページにユーザ作成のコンテンツを選択的に取り入れることができる機能。
【００１９】
システム及び方法の実施の形態では、コンピュータシステムのネットワークを用いる。ネットワークの構成要素は、これに限定されるものではないが、インターネットのようなワイドエリアネットワーク全体に亘って相互接続することができる。トップレベルにおいて、サーバネットワーク装置（「サーバ」）は、ブロードバンド生成プラットホームの動作をサポートして、ブロードバンド生成プラットホームのユーザによってアクセスすることができるデジタル資産及び他のメディアコンテンツを保存する。
【００２０】
ウェブサイトは、独立プロバイダからのデジタル資産及び他のメディアコンテンツを認可又は所有することができる。また、サーバは、ユーザが作成し、ブロードバンド生成プラットホームにアップロードすることができるユーザ作成のコンテンツ用の記憶空間を確保する。メインウェブサイトは、ホームページと、このホームページにルートで互いにリンクした多数の更なるウェブページのツリーとを含むことができる。ウェブサイトのページは、これらに限定されるものではないが、例えばユーザ設定（settings）ページ、ユーザプロフィールページ、ユーザショーケース（showcase）ページ、ユーザ伝記（biography、「人物紹介（bio）」）ページ、チャンネル（genre）ページ及びゾーン（zone）ページ等の様々な種類のページからなる。
【００２１】
また、ユーザは、これらに限定されるものではないが、オーディオポッパー、ビデオポッパー及びツールポッパーを含むポップアップスクリーン（「ポッパー」）の機能をページ内で起動し、視聴及び利用することができる。ユーザは、ウェブサイトのページ内のリンクを辿ることにより、様々なツール、例えば、これらに限定されるものではないが、検索ツール、ブロードバンド生成プラットホームのメディアコンテンツに対するグラフィカルガイド、仮想ボタン（指定された選択可能なアイコン又は領域）及びメニュー等のユーザが選択可能な操作子（以下、ユーザ選択操作子という）、リスト等を用いることにより、ウェブサイトを介して閲覧することができる。
【００２２】
あらゆるソースからのウェブサイトの全てのメディアコンテンツアイテムは、「メタデータ（すなわちユーザ又はウェブサイトの管理者が入力することができるメディアコンテンツアイテムに関する記述データ）」に関連させることができ、メタデータは、メディアコンテンツアイテムを編成及び管理するためにコンテンツ管理システム及び方法によって用いられる。例えば、ユーザは、メディアコンテンツアイテムのある判定基準、例えばこれらに限定されるものではないが、メディアコンテンツアイテムタイプ、メディアコンテンツアイテムキーワード及びメディアコンテンツアイテム作成者に基づいて、ウェブサイト上でメディアコンテンツアイテムを検索することができる。
【００２３】
ウェブサイトのホームページは、ウェブサイトの他のページへのリンクを含んでいる。ユーザは、お気に入りのリンクをアクセスし、追加し、削除することによって、お気に入りのリンクを管理することができる。一実施の形態において、ホームページは、所望の機能を選択するユーザ選択操作子を含むことができる。ホームページは、また、宣伝ページ、ポッパー、広告、ウェブサイト又は他の宣伝エンティティにリンクされたユーザ選択宣伝領域（「プロモート（promotes）」）も含んでいてもよい。
【００２４】
本発明の具体的な実施の形態に係るシステム及び方法は、ウェブサイトに登録及びログオンしたウェブサイトのユーザが利用できるデジタル資産及びツールがあるウェブサイトを用いることができる。
【００２５】
一実施の形態において、ユーザは、利用できるデジタル資産及びツールにアクセスするために署名する（例えば、料金を払う）ことができる。他の実施の形態において、デジタル資産及びツールの限定されたバージョンは、登録か未登録に関係なく、無料でウェブサイトのユーザに利用できるようにすることができる。これらのツールの完全版は、ウェブサイトから有料で購入するか、リースすることができる。
【００２６】
幾つかの実施の形態において、メディア作成及び編集ツールは、ユーザ自身のメディアコンテンツアイテムをオンライン又はオフラインで作成及び編集するために、ユーザによってアクセスされ、ダウンロードされることができる。ウェブサイトのユーザによって作成されたメディアコンテンツアイテムは、ユーザが利用できるようにウェブサイトにアップロードされ、記憶領域に記憶されることができる。これらの記憶されたメディアコンテンツアイテムは、これらに限定されるものでないが、記憶されたメディアコンテンツアイテムを定義し、ソートし、検索し、共有し、削除する等様々な方法でユーザによって、管理されることができる。また、ウェブサイトは、このコンテンツを所定のスタイルを有するテンプレートでブロードバンド生成プラットホームの他のユーザに表示する「ショーケースページ」をユーザに提供する。ショーケースページは、ブロードバンド生成プラットホームの他のユーザが見ることができる。ショーケースページは、ユーザが個人情報及び他の情報を他のユーザに表示するユーザ（人物紹介ページ）にリンクすることができる。ユーザのショーケースページ上で表示されるメディアコンテンツアイテムが特に優れている（compelling）とき、ウェブサイトの管理者は、ユーザがアクセスできない管理ツールを用いて、ウェブサイトのメインの表示ページにユーザのショーケースページ上で表示されるメディアコンテンツアイテムを「取り込む（ingest）」という選択肢を選択してもよい。これらの管理ツールは、ウェブサイトの管理者及びプログラマによるウェブサイトの管理を容易にする。
【００２７】
一実施の形態において、ホームページは、ウェブサイト上のメディアコンテンツを「体験」、「作成」、「接続」からなる選択肢をユーザに提供するユーザ選択操作子を含んでいる。ユーザは、自分の目的に従い、これらの３つの操作子のうちの１つを選択することができる。ユーザがメディアコンテンツを「体験」することを選択したとき、ユーザは、ウェブサイトのユーザによって作成されたメディアコンテンツだけでなく、独立したソースから許可されたメディアコンテンツを、体験する（すなわち見る、聞く又は認識する）ことができる。
【００２８】
一実施の形態において、ユーザがメディアコンテンツを体験することを選択したとき、それぞれが特定のチャンネルのホームページにリンクした様々なユーザ選択操作子を選択する更なる選択肢を、ユーザに表示するようにしてもよい。あるチャンネルのホームページは、特別のジャンルのメディアコンテンツ（例えばコメディ、ドラマ、アクション、空想科学小説、ホラー又は音楽）が表されるメインページである。このメインページは、他のページにリンクする、又はユーザにメディアコンテンツを表示するプロモートを含んでいる。ユーザがメディアコンテンツを「作成」することを選択したとき、ユーザは、メディアコンテンツを作成及び／又は編集するメディア作成及び編集ツールへのアクセスが提供される。また、ユーザは、デジタル資産が１つ以上の「資産パック（asset packs）」の形で提供されてもよい。これらの資産パックは、例えば、ユーザ自身のメディアコンテンツに組み込まれ、又は組み合わせられるビデオ、オーディオ及びアニメーションの一部を含むことができる。
【００２９】
例えば、各資産パックは、特定のジャンルに関連したオーディオ及びビデオの一部を含んでいてもよい。例えば、「アクション」資産パックは、爆発、カーチェイス及び銃撃戦のビデオ及び／又はオーディオの部分を含んでいてもよい。同様に、「コメディ」資産パックは、独演コメディアンのビデオ及び／又はオーディオ部分、テレビジョン及びラジオショーからの寸劇及びコメディ映画からの場面を含んでいてもよい。
【００３０】
更なる実施の形態として、「音楽」資産パックは、ポピュラー音楽のグループによって演奏される音楽のビデオ及び／又はオーディオの一部を含んでいてもよい。メディア作成及び編集ツールを用いて、例えば、ユーザは、ビデオ、アニメーション、オーディオでの他のデジタルメディアを所定のテンプレート及びスケジュールに挿入することができる。
【００３１】
チャンネルホームページは、そのチャンネルホームページ上のジャンルと関連したデジタル資産にリンクするユーザ選択操作子を含むことができる。これにより、例えば、ユーザは、アクションチャンネルホームページを体験することができ、そして、ユーザを「アクション」資産パックにリンクするそのページ上の「作成」ユーザ選択操作子を選択することができる。
【００３２】
上述のように、「アクション」資産パックは、これらには限定されるものではないが、爆発、カーチェイス及び戦闘シーンを含むアクションシーンの、例えばビデオ、オーディオ及びアニメーションの一部を含むことができる。そして、ユーザは、ユーザ自身の作品中のアクション部分を用いることができる。例えば、ユーザが、自転車から子供が落ちる映像を有しているとする。ユーザは、ユーザのビデオで子供が落ちるその瞬間に、ウェブサイトから得られる爆発のビデオ部分を挿入することができる。そして、以下に説明するとおり、ユーザは、ウェブサイト上のユーザ自身のユーザショーケースページ上でこのビデオを表示することができる。ユーザが「接続」メディアコンテンツを選択すると、ユーザに対して、例えば、メディアコンテンツ（メタデータ）に関する情報を入力することができるアップロードページ又はポッパーが表示される。そして、メディアコンテンツは、ウェブサイト上のユーザのショーケースページにアップロードされる。
【００３３】
一実施の形態において、「ユーザ名（USERNAME）」に続いてウェブサイトのユニフォームリソースロケータ（Uniform Resource Locator：ＵＲＬ）を入力することによって、ユーザショーケースページにアクセスすることができ、ここで、「ユーザ名」は、ショーケースページに関連したユーザに固有の名称である。特定のユーザショーケースページは、ウェブサイトのＵＲＬの後ろにそのユーザ名を入力することにより、ウェブサイトの他のユーザにアクセスできることができる。このように、ユーザは自分の創造的なメディアコンテンツを表示するショーケースページを持つこと及び他のユーザのショーケースページに検索及びアクセスすることができることによって、ウェブサイトの他のユーザと接続することができる。
【００３４】
システムハードウェア環境
図１は、具体的なクライアント−サーバ環境１００、例えばワールドワイドウェブ（ウェブ）の構成を示す図である。このクライアント−サーバ環境１００において、メディアコンテンツ作成及び公開システム及び方法を実現することができる。このウェブのアーキテクチャは、周知のクライアント−サーバモデルに従っている。
【００３５】
用語「クライアント」及び「サーバ」は、データ（クライアント）の要求又はプロバイダのデータ（サーバ）の提供として、コンピュータの全体的な役割を指すために用いられる。また、このクライアントは、ユーザネットワーク装置（User Network Device：以下、ＵＮＤという）１０２及びハイパーテキスト転送プロトコル（HyperText Transfer Protocol：以下、ＨＴＴＰという）のようなプロトコルを用いて通信するウェブサーバ１０４を指す。ウェブ環境において、ウェブブラウザはクライアントに存在し、ウェブサーバ１０４によって供給されるウェブドキュメント（ページ）を提供する。クライアント−サーバモデルは、ＵＮＤ１０２とウェブサーバ１０４間の情報の伝達に使用される。ウェブサーバ１０４は、ネットワーク１１０、例えばインターネットに接続されており、そして、ドキュメント要求及び／又はウェブクライアントからの他の問合せに応答する。
【００３６】
他の実施の形態として、他のネットワークを用いてもよい。ウェブサイトのメインページに関するイベント及び作業の実際の手順は、実施の形態によって異なるが、一実施の形態においては、ユーザは、例えば、ネットスケープナビゲータ（Netscape Navigator）又はインターネットエクスプローラ（Internet Explorer）等のウェブブラウザを用いて、最初にウェブサイトに接続する。そして、ユーザは、利用者識別名及びパスワードでウェブサイトにログインし、又はゲストとしてログインすることができる。また、新規のユーザは、利用者識別名及びパスワードを設定するためにウェブサイトで登録処理を行うことができる。ログイン処理及び登録の間、メインのウェブサイトは、ユーザのインタラクションのための妥当なサポート（例えば、使用する最適の帯域幅の決定）を提供するために、ユーザのプロセッサ又はコンピュータシステムに関する情報を読み出すことができる。ユーザが、そのＵＲＬを送信することによってドキュメントを選択すると、ウェブブラウザは、ウェブサーバ１０４への接続を開始し、ドキュメントの要求を始める（例えば、ＨＴＴＰを得る）。
【００３７】
ウェブサーバ１０４は、一般的にハイパーテキストマークアップ言語（HyperText Markup Language：以下、ＨＴＭＬという）等の標準マークアップ言語又はダイナミックＨＴＭＬ（Dynamic HTML：以下、ＤＨＴＭＬという）でコード化されたテキストドキュメントの形で要求されたドキュメントを配信する。更に、ウェブサイトページは、Ｊａｖａ（登録商標）、ＪａｖａＳｃｒｉｐｔ、フラッシュ又は他のどの適切なプログラミング又はスクリプト言語でコード化してもよい。ＵＮＤ１０２は、これらに限定されるわけではないが、あらゆる種類のコンピュータシステム、例えばデスクトップコンピュータ、ワークステーション、ラップトップコンピュータ及び／又はメインフレームコンピュータであってもよい。更なる変形例として、携帯電話、個人情報携帯端末、メディアプレーヤのためのインタフェース及び衛星経由のダウンロードのためのインタフェースで実現してもよい。各ＵＮＤ１０２に１人以上のユーザ（図示せず）を関連付けてもよい。デジタルコンテンツをユーザが知覚可能なメディアコンテンツに変換するために、ＵＮＤ１０２は、更に、ソフトウェア、ハードウェア、ファームウェア又はそれらの組合せを含んでもよい。
【００３８】
ＵＮＤ１０２がウェブサーバ１０４と通信して接続されると、ＵＮＤ１０２にはウェブサイトが、ウェブサーバ１０４からユーザが知覚可能な情報をユーザが受信することができるインタフェースであって、以下に限定されるわけではないが、メディアコンテンツをダウンロード又はアップロードすることを要求し、若しくは、更なるページ、ポッパー又は他のウェブサイトにリンクすることを要求する情報をウェブサーバ１０４にユーザが伝えることができるユーザインタフェースとして、表示される。ウェブサーバ１０４は、これらに限定されるわけではないが、あらゆる種類のコンピュータシステム、例えばデスクトップコンピュータ、ワークステーション、ラップトップコンピュータ及び／又はメインフレームコンピュータであってもよい。
【００３９】
ウェブサイトの実施の形態においては、ウェブサーバ１０４は、ウェブサイトのコンテンツを記憶する記憶装置１０８を備え、又は記憶装置１０８と連携して動作する。ウェブサイトのコンテンツは、テキスト、画像、デザイン、又は、以下に限定されるわけはないが、ショーケースページ、ユーザ人物紹介ページ、チャンネル（ジャンル）ページ、ゾーンページ及びポッパーを含む１つ以上のウェブサイトの要素からなる他の情報を作成又は生成するためのデータを含んでいる。
【００４０】
ここに開示されるシステム及び機器の機能、並びに処理は、機械で実行可能な命令として実現することができる。これらの命令を有するソフトウェアにより、汎用プロセッサ又は特定用途向けプロセッサをプログラミングし、ここに説明する機能及び処理をこれらのプロセッサに実行させることができる。或いは、これらの機能及び処理は、ファームウェア、ハードワイヤードロジックを備えているハードウェア又はこれらの任意の組合せによっても実現することができる。
【００４１】
一実施の形態においては、ユーザに対し、コンピュータ（又は上述した他のＵＮＤ）をプログラミングし、本発明に基づくメディアコンテンツアイテムの作成、編集、共有、公開に関する処理をＵＮＤに実行させるソフトウェアを記憶する機械で読取可能な媒体を備えるコンピュータプログラムを提供する。機械で読取可能な媒体は、以下に限定されるわけではないが、フロッピー（登録商標）ディスク、光ディスク、ＣＤ―ＲＯＭ、光磁気ディスク、ＲＯＭ、ＲＡＭ、ＥＰＲＯＭ、ＥＥＰＲＯＭ、磁気又は光カード、フラッシュメモリ、又は電子的命令の記憶に適した他の種類の媒体／機械で読取可能な媒体を含む。
【００４２】
本発明の他の実施の形態においては、ＵＮＤは、コンピュータプログラムとしてＵＮＤにダウンロードされたソフトウェアによってプログラミングされる。このソフトウェアは、例えば、メディア作成及び編集ツールであり、通信リンク（例えば、モデム又は他の有線又は無線リンク、衛星信号受信機、又は他の放送信号受信機等）を介して、搬送波又は他の伝搬媒質に重畳されたデータ信号として、リモートのプロセッサ（例えばサーバ）から要求したプロセッサ（例えばＵＮＤ）に、ダウンロード又は転送してもよい。
【００４３】
メディアコンテンツの作成及び編集処理
ユーザは、ＵＮＤ１０２を用いて、インターネットを介してウェブサイトに接続してもよい。一実施の形態においては、ＵＮＤ１０２は、標準的なウェブ閲覧ソフトウェアを採用しており、ウェブサイトに接続して、ウェブサイトとインタラクトする。他の実施の形態においては、ＵＮＤ１０２は、ウェブサーバ１０４とインタラクトするためにカスタマイズされたソフトウェア、ハードウェア、ファームウェア、又はこれらの組合せを採用してもよい。ユーザは、例えば、ウェブサイトに関連したアドレス又はＵＲＬによって、ウェブサイトに接続してもよい。一実施の形態においては、ユーザがウェブサイトに関連したアドレス又はＵＲＬに接続すると、ユーザに対して、図２に示すウェブサイトホームページ２００が表示される。
【００４４】
幾つかの実施の形態においては、ある種の条件下で、ウェブサイトホームページ２００に辿り着く前に、登録及びログイン操作がユーザに要求されることもある。ウェブサイトホームページ２００（及び、後述する他のページ）によって、ユーザは、メディアコンテンツを体験及び作成し、メディアコンテンツに接続することができる。ウェブサイトのコンテンツ及びウェブサイトページ上のウェブサイトのコンテンツの配置は、実施の形態に応じて異なる。
【００４５】
例示的に示すウェブサイトホームページ２００は、コンテンツ領域２０２と、「体験（experience）」チャンネル領域２０４（メディアコンテンツのジャンルを選択するユーザ選択操作子２１０（アクション）、２１２（コメディ）、２１４（ドラマ）、２１６（音楽）、２１８（サイエンスフィクション）を含む）と、「作成（create）」ユーザ選択操作子２０６と、「接続（connect）」ユーザ選択操作子２０８と、インタラクティブ広告スペース２２０と、メニュー領域２２２とを備える。コンテンツ領域２０２は、これらに限定されるものではないが、ビデオセグメント、静止画像、写真、アニメーション、図形等のメディアコンテンツアイテムを表示する。コンテンツ領域２０２は、ユーザを他のウェブサイトにリンクするだけではなく、ウェブサイト内の他のページ又はポッパーにリンクすることができるプロモート（promote）を有していてもよい。
【００４６】
メニュー領域２２２は、マウスによってクリックされ、又は他の手法によってユーザに選択されたときに展開され、ユーザが選択できる更なる機能を表示するメニューアイテムを含む。インタラクティブ広告スペース２２０は、企業、サービス、製品に関する広告をユーザに表示する。インタラクティブ広告スペース２２０は、所定の間隔で画面内及び画面外にスライド及び／又は例えば画面の周囲に沿って表示されるタブをクリック等によって選択するといった、ユーザによる何らかの操作により画面上に現れるブロードバンド広告ユニットを含んでいてもよい。メニュー領域２２２は、以下に限定されるわけではないが、「お気に入り（favorites、ユーザが興味を持ち、ユーザが以前にお気に入りに指定した領域、ページ又はメディアコンテンツアイテムへのリンク）」、「マイスタッシュ（My Stash、ウェブサイトによってユーザに提供された保存領域（スタッシュ）に、ユーザが以前に保存したメディアコンテンツへのリンク）」、「ログイン（Log in、ユーザがウェブサイトにログインするためのログインページへのリンク）」、「検索（search、ユーザが定義した条件により検索を行うことができる検索ページへのリンク）」、「設定（settings、例えばユーザのパスワード及びユーザ名等の設定を入力及び編集するための設定ページへのリンク）」、「アバウト（about、ウェブサイトに関する情報をユーザに提供するアバウトページ）」、「ショップ（shop、ウェブサイト又は独立した業者によって提供される商品をユーザ購入することができるショッピングページへのリンク）」等のメニューの選択肢を含む。
【００４７】
ユーザが「体験」チャンネル領域２０４内のユーザ選択操作子をクリック又は他の操作によって選択すると、ユーザは、選択したユーザ選択操作子に対応するチャンネルページにリンクされる。例えば、ユーザが「アクション」ユーザ選択操作子２１０を選択した場合、図３に示すように、ユーザに対して、アクションチャンネルホームページ３００が表示される。アクションチャンネルホームページ３００は、ウェブサイトホームページ２００の実施の形態と同様に、コンテンツ領域３０２と、「体験」チャンネル領域３０４（メディアコンテンツのジャンルを選択するユーザ選択操作子３１０（アクション）、３１２（コメディ）、３１４（ドラマ）、３１６（音楽）、３１８（サイエンスフィクション）を含む）と、「作成」ユーザ選択操作子３０６と、「接続」ユーザ選択操作子３０８と、インタラクティブ広告スペース３２０と、メニュー領域３２２とを備える。コンテンツ領域３０２は、アクションジャンルに関連したメディアコンテンツを表示する。例えば、コンテンツ領域３０２には、視聴可能なアクションビデオセグメントを表示してもよい。
【００４８】
これに代えて、又はこれに加えて、コンテンツ領域３０２には、以下に限定されるものではないが、ユーザが作成したメディアコンテンツ内で使用するために、ユーザがダウンロードし、編集できるアクションデジタルパケットをユーザに提供するプロモート（promote）等を表示してもよい。また、コンテンツ領域３０２には、ユーザをアクションテーマを有する他のウェブサイト、又はユーザがアクションに関連した商品を購入することができるこのウェブサイト内の他のページにユーザをリンクするプロモートを表示してもよい。インタラクティブ広告スペース３２０及びメニュー領域３２２は、ウェブサイトホームページ２００に関連して上述したもとの同じ機能を提供することができる。
【００４９】
アクションチャンネルホームページ３００は、例えば「バック（back）」ユーザ選択操作子３２４、「モア（more）」ユーザ選択操作子３２６等のユーザ選択可能な補足的な操作子を更に備える。「バック」ユーザ選択操作子３２４により、ユーザは、先に閲覧したページに容易に戻ることができる。「モア」ユーザ選択操作子３２６は、ユーザを、特定のチャンネルホームページのジャンルに関連したウェブサイト上で利用可能なメディアコンテンツをユーザに表示するウェブサイトグラフィカルガイドにリンクすることができる。アクションチャンネルホームページ３００は、ユーザがこのアクションチャンネルホームページ３００をユーザのお気に入りリストに追加するとともに、このアクションチャンネルホームページ３００へのリンクを友人に送信することができるユーザ選択メニュー３２８を更に備えていてもよい。更に、アクションチャンネルホームページ３００は、機能リンク（feature link）３３０を備えることができ、機能リンク３３０は、例えば宣伝用の映像又はテキストのフォーマットであり、ユーザを、例えばアクションに関連した更なるページ、ポッパー又はウェブサイトにリンクすることができる。
【００５０】
幾つかの実施の形態においては、ジャンルのユーザ選択操作子を（例えばマウスカーソルによって）選択する（rolls over）と、ユーザに対して、ユーザがクリック又は選択することができるジャンルゾーンページのリストが表示される。ジャンルゾーンページは、特定のジャンル、例えば、アクションショーと一致するユーザに利用可能な特定のショー又は他のイベントである。リスト３３２は、このジャンルゾーンページのリストの一例である。ユーザが「体験」チャンネル領域３０４にある「アクション」ユーザ選択操作子３１０を選択すると、リスト３３２が表示される。リスト３３２には、ユーザが選択して体験することができる３個のアクションに関連したショーが示されている。ユーザがウェブサイトホームページ２００上の「作成」ユーザ選択操作子２０６、又はアクションチャンネルホームページ３００上の「作成」ユーザ選択操作子３０６を選択すると、ユーザは、図４に示す作成チャンネルページ４００又はこれに類似する作成チャンネルページにリンクされる。
【００５１】
作成チャンネルページ４００は、ウェブサイトホームページ２００及びアクションチャンネルホームページ３００の実施の形態と同様に、コンテンツ領域４０２と、「体験」チャンネル領域４０４（メディアコンテンツのジャンルを選択するユーザ選択操作子４１０（アクション）、４１２（コメディ）、４１４（ドラマ）、４１６（音楽）、４１８（サイエンスフィクション）を含む）と、「作成」ユーザ選択操作子４０６と、「接続」ユーザ選択操作子４０８と、インタラクティブ広告スペース４２０と、メニュー領域４２２とを備える。インタラクティブ広告スペース４２０及びメニュー領域４２２は、ウェブサイトホームページ２００及びアクションチャンネルホームページ３００に関連して上述したものと同様の機能を有する。コンテンツ領域４０２は、アクションジャンルに関連したメディアコンテンツを表示する。
【００５２】
例えば、ここには、コンテンツ領域４０２において視聴可能なアクションビデオセグメントを表示してもよい。更に、作成チャンネルページ４００は、例えば、プロモート４２４、４２６、４２８等のユーザをメディア作成及び編集ツールにリンクするユーザ選択プロモートを備えていてもよい。メディア作成及び編集ツールに加えて、作成チャンネルページ４００は、更に、資産パック４３０、４３２等のユーザ選択資産パックへのリンクを備える。作成チャンネルページ４００上に設けられているプロモート４２４等及び資産パック４３０等は、いずれも、ユーザによりアクセス及び／又はダウンロードされ、「個人用のメディアコンテンツ（すなわち、ユーザによって選択され、作成され、編集されたメディアコンテンツアイテム）」を作成するために用いることができる。ユーザがメディア作成及び編集ツール又は資産パックにアクセスすると、ユーザは、これらのメディア作成及び編集ツール又は資産パックをオンラインで使用することができる。
【００５３】
図５は、ツールアプリケーションページ５００を示している。ツールアプリケーションページ５００は、ウェブサイトホームページ２００、アクションチャンネルホームページ３００及び作成チャンネルページ４００の実施の形態と同様に、コンテンツ領域５０２と、「体験」チャンネル領域５０４（メディアコンテンツのジャンルを選択するユーザ選択操作子５１０（アクション）、５１２（コメディ）、５１４（ドラマ）、５１６（音楽）、５１８（サイエンスフィクション）を含む）と、「作成」ユーザ選択操作子５０６と、「接続」ユーザ選択操作子５０８と、インタラクティブ広告スペース５２０と、メニュー領域５２２とを備える。インタラクティブ広告スペース５２０及びメニュー領域５２２は、ウェブサイトホームページ２００、アクションチャンネルホームページ３００及び作成チャンネルページ４００に関連して上述したものと同様の機能を有する。
【００５４】
幾つかの実施の形態においては、ユーザがツールアプリケーションページ５００内の「体験」チャンネル領域５０４内のジャンルのユーザ選択操作子を選択すると、ユーザは、このツールによって以前に作成されたそのジャンルのメディアコンテンツを体験することができる。同様に、ユーザが「接続」ユーザ選択操作子５０８を選択すると、ユーザは、例えば他のユーザとツールについて議論し、及びツールに対する評価（rating）を見ることができるページにリンクされる。ツールアプリケーションページ５００は、コンテンツ領域５０２によってデジタルメディア編集アプリケーション（以下、デジタルメディア編集アプリケーション５０２ともいう）等のメディア作成及び編集ツールをユーザに提供する。後により詳細に説明するように、デジタルメディア編集アプリケーション５０２により、ユーザは、オーディオ及び／又はビデオ要素を作成及び／又は編集し、これをユーザのスタッシュに保存し、ユーザのショーケースページにロードすることができる。ツールアプリケーションページ５００は、更に、ツールプロモート５２４、５２６、５２８等の更なるツールのためのプロモートを備えていてもよい。ツールアプリケーションページ５００は、資産パックプロモート５３０、５３２等の更なる資産パックのためのプロモートを備えていてもよい。更に、ツールアプリケーションページ５００は、追加的なメディア作成及び編集機能を含むツールポッパーをアクティブ化（起動（launch））するユーザ選択操作子を備えていてもよい。
【００５５】
幾つかの実施の形態において、デジタルメディア編集アプリケーション５０２は、タイムラインを提供することにより、個人用のメディアコンテンツの作成を容易にする。タイプラインを用いて、ユーザは、既存のデジタルビデオ及び／又はオーディオセグメントに対してドラッグアンドドロップ操作を行い、連続的なビデオ及び／又はオーディオシーケンスを作成することができる。
【００５６】
このようなタイムラインの実施の形態を図６に示す。図６に例示的に示すデジタルメディア編集アプリケーション６００は、ユーザに対し、複数（この実施の形態では５個）の空のメディアコンテンツ「コンテナ（container）」を備えるタイムライン６０２を提供する。上述のように、これらのメディアコンテンツコンテナは、例えばドラッグアンドドロップ操作により、既存のデジタルビデオセグメント６２４、６２６、６２８、６３０、６３２及び／又はオーディオセグメント６０４、６０６、６０８、６１０、６１２、６１４、６１６、６１８、６２０、６２２をメディアコンテンツコンテナにコピーすることができる。特定のセグメントは、例えばドラムビート（drumbeat）又は映画からのビデオクリップ等のオーディオ又はビデオの断片を含んでいてもよい。
【００５７】
図７は、セグメントがコピーされた後のタイムライン６０２を示している。図７に示すように、タイムライン６０２のメディアコンテンツコンテナ１には、オーディオセグメント６０４のコピーが配置されている。同様に、メディアコンテンツコンテナ２〜５には、それぞれオーディオセグメント６１０、オーディオセグメント６０８、ビデオセグメント２７６、オーディオセグメント６１２が配置されている。
【００５８】
一実施の形態においては、タイムライン６０２は、単一のファイルとしてユーザのスタッシュに保存され、このスタッシュから、ユーザのショーケースページにロードしてもよい。ユーザが複数のセグメントをタイムライン６０２にドラッグアンドドロップできるようにすることにより、デジタルメディア編集アプリケーション６００は、ユーザによる個人用のメディアコンテンツの作成を容易にする。
【００５９】
幾つかの実施の形態においては、メディアコンテンツのオンラインでの作成に加えて、ウェブサイトのユーザは、ウェブサイトから、ユーザのＵＮＤにデジタル資産パックと共に、メディア作成及び編集ツールをダウンロードし、オフラインでメディアコンテンツの作成を行ってもよい。このダウンロードは、例えば図８に示すダウンロードツールページ８００を用いて行うことができる。
【００６０】
ウェブサイトのユーザは、例えば、他のページ又はポッパー上に置かれている、このダウンロードツールページ８００へのプロモートをクリック又は他の操作によって選択することにより、例示的なダウンロードツールページ８００にリンクされる。ユーザは、更に、ガイドが表示され、ユーザが資産パック又はツールに関する「ダウンロード情報を見る」機能を選択した場合も、このダウンロードツールページ８００にリンクされる。更に、ユーザは、特定の資産パック又はツールを検索し、検索結果を示すページから「ダウンロード情報リンク」を選択した場合も、ダウンロードツールページ８００にリンクされる。更に、幾つかの実施の形態においては、ユーザは、資産パックに関するポッパーが表示され、ユーザが「情報を見る」機能を選択した場合にも、ダウンロードツールページ８００にリンクされる。ダウンロードツールページ８００により、ユーザは、メディア作成及び編集ツール又は、このようなツールの組に関する情報を閲覧及び／又はダウンロードすることができる。
【００６１】
プロモート画像８０２は、ユーザがダウンロードツールページ８００にリンクするために選択したプロモート画像と同じ画像であってもよい。また、一実施の形態においては、プロモート画像８０２は、いかなる機能を有していなくてもよい。資産及びツールリスト８０４は、ユーザが更なる情報を望み及び／又はユーザがダウンロードすることを望むためのツールの組を構成する資産パック及び／又はツールのリストである。
【００６２】
資産及びツールリスト８０４の近傍には、資産及びツールリスト８０４に関する情報を提供するユーザにより選択可能なタブが表示されている。ユーザがコンテンツタブ８０６を選択すると、資産及びツールリスト８０４内の選択された資産パック又はツールのコンテンツのリストがユーザに表示される。同様に、ユーザが説明タブ８０８を選択すると、選択された資産パック又はツールに関する説明がユーザに表示される。ユーザがクレジットタブ８１０を選択すると、例えば、資産パック又はツールの作成者等の名称のリストがユーザに表示される。更に、資産パック又はツールにチュートリアルが含まれている場合、ユーザは、チュートリアルタブ８１２を選択することにより、チュートリアルに関する情報を閲覧することができる。ファイルサイズ８１４は、資産及びツールリスト８０４内の各資産パック又はツールのファイルサイズを示している。ユーザは、資産パック又はツールに対応する「ダウンロード」操作子８１６を選択することにより、資産及びツールリスト８０４から個々の資産パック又はツールを選択してダウンロードすることができる。更に、資産及びツールリスト８０４内の選択された資産パック又はツールに関する要約及び著作権情報８１８をユーザに表示してもよい。
【００６３】
一実施の形態において、ユーザは、「全てをダウンロード」操作子８２０又は「全てをプレビュー」操作子８２２のいずれかを選択することにより、資産及びツールリスト８０４内の全ての資産パック及び／又はツールをダウンロード又はプレビューすることができる。ユーザが「全てをプレビュー」操作子８２２を選択すると、メディアポッパーが起動され、資産及びツールリスト８０４内の資産のストリームがユーザに表示される。関連リンクセクション８２４により、ユーザは、ページ及びポッパー等のウェブサイトの関連した領域に素早くリンクすることができる。
【００６４】
「体験関連リンク（experience related link）」により、ユーザは、関連したメディアコンテンツを体験できるページにリンクすることができる。「作成関連リンク（create related link）」により、ユーザは、より関連性が高いメディア作成及び編集ツールにリンクすることができる。「接続関連リンク（connect related link）」により、ユーザは、例えば、選択された資産パック又はツールによって他のユーザが作成したメディアコンテンツを見ることができるページにリンクすることができる。「購買関連リンク（buy related link）」により、ユーザは、例えば資産パック又はツールの完全なバージョンを購入できるページにリンクすることができる。「チェックアウトモア（check out more）」により、ユーザは、関連したトピックを含むガイドの部分にリンクすることができる。
【００６５】
一実施の形態においては、ユーザが「ダウンロード」操作子８１６又は「全てをダウンロード」操作子８２０を選択すると、ウェブサイトは、ユーザがウェブサイトにログインしているか否かを確認する。ユーザがログインしていない場合、ユーザログインページが起動され、ユーザはログイン操作を行う。ユーザがウェブサイトにログインすると、ユーザに対し、ユーザのＵＮＤに資産パック又はツールを保存するか否かが確認される。この情報がユーザによって入力されると、ダウンロードが開始され、資産パック又はツールがユーザのＵＮＤ又はユーザが指定した記憶装置に保存される。これにより、ユーザは、オフラインで、資産パック又はツールを用いてメディアコンテンツを作成及び／又は編集することができるようになる。
【００６６】
ユーザがメディアコンテンツをオンラインで作成しているか、オフラインで作成しているかに関わらず、ユーザは、このメディアコンテンツをユーザのスタッシュに保存することができる。ユーザのスタッシュは、ユーザがウェブサイトに登録したときに、ユーザに割り当てられる。ユーザがメディアコンテンツをオフラインで作成する場合、ユーザは、メディアコンテンツをユーザのスタッシュにアップロードする。
【００６７】
メディアコンテンツの保存及び管理
幾つかの実施の形態において、ブロードバンド生成プラットホームは、個人化されたメディアコンテンツ（personalized media content）用の記憶空間（例えば、図１における記憶装置１０８上に提供される空間）をユーザに提供する。ユーザは、例えば、５０メガバイト（Ｍｂ）の記憶容量が割り当てられ、この記憶容量は、実施の形態では、ユーザのスタッシュとして示されている。このスタッシュは、ユーザのメディアコンテンツの記憶場所として提供される。一実施の形態において、スタッシュ内には、全てのファイルフォーマットが受け入られる。ユーザのスタッシュに記憶されるファイルは、個人的なものであり、ウェブサイトの他のユーザによって閲覧又はアクセスすることができない。ユーザがメディアコンテンツをスタッシュに記憶すると、ユーザは、以下に限定されないが、スタッシュ内のファイルを閲覧すること、編集すること（例えば、ファイルのタイトルを変更すること）、削除すること、及びスタッシュからユーザショーケースページを含む他の場所にファイルをアップロードすること等を含む様々な用途に使用することができる。
【００６８】
ウェブサイトは、ユーザがユーザのスタッシュを管理する「スタッシュマネージャページ（stash manager page）」を含んでいる。ユーザは、以下に限定されないが、他のページ、ポッパー、ウェブサイトに設けられた全体的なナビゲーションメニュー（global navigation menu）において利用可能な適切なユーザ選択操作子を選択すること（例えば「スタッシュマネージャ」ユーザ選択操作子）を含む様々な方法でスタッシュマネージャページにアクセスすることができる。
【００６９】
一実施の形態として、ユーザが適切なユーザ選択操作子を選択すると、ウェブサイトは、ユーザがウェブサイトにログインしているかを確認する。ユーザがログインしていない場合、ユーザがログインするためのログインページが起動される。ユーザがウェブサイトにログインすると、ユーザは、スタッシュマネージャページにアクセスすることができる。
【００７０】
図９に、例示的なスタッシュマネージャページ９００を示す。ユーザ名は、スタッシュマネージャページ９００のテキスト領域９０２に表示される。テキスト領域９０２は、定型である（すなわち、テキストに関連した機能はない）。
【００７１】
幾つかの実施の形態において、ユーザ名は、登録時にユーザによって選択されてもよいる。スタッシュマネージャページ９００は、ユーザのスタッシュにあるコンテンツをディレクトリ形式で一覧表示する。ファイル名９０４が、ファイル作成日９０６、ファイルサイズ（Ｍｂ表示）９０８及びファイル（すなわち、オーディオ又はビデオ）の特徴タイプ９１０と共に、表示される。更に、選択可能なグラフィックインジケータ、例えば、以下に限定されないが、特定のファイルに関連し、ユーザが削除すること、共有すること、又は表示されたファイルに対する他の機能を実行させることを希望することを示すチェックボックスが表示される。
【００７２】
例えば、スタッシュマネージャページ９００は、ユーザが削除に関連したファイルにフラグを立てることができる「削除」チェックボックス９１２を含んでいる。また、スタッシュマネージャページ９００は、ユーザが共有（詳細は後に説明する）に関連したファイルにフラグを立てることができる「共有」チェックボックス９１４を含んでいる。ファイルは、ユーザが「変更の保存（save changes）」ユーザ選択操作子９１６を選択することにより処理を完結させ、変更が許可されるまで、削除又は共有することができない。ファイルリストに挙げられた各ファイルに関連して、ファイルが共有されるか、又はユーザショーケースとされる（詳細は後に説明する）かを示すインジケータ９１８が設けられている。
【００７３】
更に、リストに挙げられた各ファイルに関連して、ファイル（例えば「.aif」ファイル、「.wav」ファイル、「.au」ファイル、「.ra」ファイル、「.rm」ファイル、「.wmv」ファイル、「.asf」ファイル、「.swf」ファイル）が再生可能であることを表示する「再生」ユーザ選択操作子９２０が設けられている。再生ボタン、すなわち「再生」ユーザ選択操作子９２０は、再生できないファイル（例えば「.acd」ファイル、写真及びドキュメントファイル）に対しては表示されない。ユーザにより選択可能なユーザ選択「マイショーケース」リンク９２２がスタッシュマネージャページ９００に設けられており、これにより、ユーザは、ウェブサイト上のユーザショーケースページ（user's showcase page）（詳細は後に説明する）にリンクすることができる。同様に、ユーザ選択「人物紹介（My Bio）」リンク９２４が設けられており、これにより、ユーザはウェブサイト上のユーザ人物紹介にリンクすることができる。更に、ユーザ選択「共有」リンク９２６が設けられており、これにより、ユーザはウェブサイト上の「共有ページ（詳細は後に説明する）」にリンクすることができる。また、スタッシュマネージャページ９００は、ユーザのスタッシュにおける記憶容量残量をユーザに示している。「利用可能容量（Space available）」領域９２８は、そのために設けられている。「利用可能容量」領域９２８は、定型の文字（static text）を含んでいる。
【００７４】
最初（すなわち、ユーザファイルが記憶される前）に、メッセージは、ウェブサイトによってユーザに割り当てられた最大容量としての値（例えば５０Ｍｂ）を示している。このメッセージに示された値は、スタッシュにファイルをアップロードする度に、又はスタッシュからファイルを削除する度に、更新される。ウェブサイトは、スタッシュにアップロードを許可する前に、この値が最大容量を超過しないようにチェックしている。また、スタッシュマネージャページ９００は、ユーザが自分のスタッシュにファイルをアップロードするための「アップロード」ユーザ選択操作子９３０を含んでいる。ユーザによって「アップロード」ユーザ選択操作子９３０が選択されると、図１０に示すように、「ファイルをスタッシュにアップロード（Upload File To Stash）」ポップアップウィンドウ１０００がスタッシュマネージャページ９００内に起動される。
【００７５】
例示的な「ファイルをスタッシュにアップロード」ポップアップウィンドウ１０００は、ユーザがアップロードすることを希望するメディアコンテンツの一部をユーザのＵＮＤに置くための「閲覧（browse）」ユーザ選択操作子１００２を備えている。
【００７６】
ユーザが所望のコンテンツの一部を選択し、選択事項を確定すると、「ファイルパス（File Path）」テキストボックス１００４には、選択するファイルのファイルパスが入る（populated）。「名称」フリーテキスト入力ボックス（free text entry box）１００６には、ユーザが、選択するファイルに関する所望の名称を入力することができる。これは、ユーザのスタッシュ内にあるファイル名である。「続行（continue）」ユーザ選択操作子１００８により、ユーザは、アップロード処理を開始することができる。
【００７７】
幾つかの実施の形態では、ウェブサイトは、スタッシュがアップロードファイルに対する許容容量を有しているかを確認する。スタッシュに十分な容量があれば、ウェブサイトは、ユーザのスタッシュにファイルを記憶する。十分な容量がない場合、ユーザにエラーメッセージが表示される。或いは、ユーザがアップロード処理を中止することを選択する場合、ユーザは、「キャンセル（Cancel）」ユーザ選択操作子１０１０を選択することができる。ユーザが「キャンセル」ユーザ選択操作子１０１０を選択すると、ユーザは、スタッシュマネージャページ９００に戻される。また、ユーザが「続行」ユーザ選択操作子１００８を選択すると、図１１に示すように、「あなたのファイルについての詳細（Details About Your File）」ポップアップウィンドウ１１００がスタッシュマネージャページ９００内に起動される。
【００７８】
ユーザによって、「ファイルをスタッシュにアップロード」ポップアップウィンドウ１０００の「名称」フリーテキスト入力ボックス１００６に入力されたファイル名は、「あなたのファイルについての詳細」ポップアップウィンドウ１１００のテキスト領域１１０２に表示される。テキスト領域１１０２は、定型であってもよい。「作者及びアーティスト（Author/Artist）」フリーテキスト入力ボックス１１０４には、ユーザがアップロードメディアコンテンツの作者名を入力することができる。「作者及びアーティスト」フリーテキスト入力ボックス１１０４には、ファイルがアップロードされたスタッシュに関連したユーザ名を予め表示してもよい。「説明」フリーテキスト入力ボックス１１０６には、ユーザがアップロードファイルに関する説明を入力することができる。「クレジット（Credits）」フリーテキスト入力ボックス１１０８には、ユーザが、例えば、メディアコンテンツの作成に対する共同貢献者（co-contributor）に関する情報を入力することができる。「キーワード」フリーテキスト入力ボックス１１１０には、ユーザがアップロードファイルに関連したキーワードを入力することができる。キーワードは、カンマによって分けることができる。
【００７９】
幾つかの実施の形態においては、ウェブサイトは、メディアコンテンツを検索するために、これらのキーワードを使用する。ユーザは、「特徴タイプ」プルダウンボックス１１１２によって、利用可能な特徴タイプのリストからアップロードファイルに適した特徴タイプ（例えばオーディオ又はビデオ）を選択することができる。「特徴サブタイプ」プルダウンボックス１１１４によって、ユーザは、利用可能な特徴サブタイプのリストからアップロードファイルに適した特徴サブタイプを選択することができる。「ジャンル」プルダウンボックス１１１６によって、ユーザは、利用可能なジャンルのリストからアップロードファイルに適したジャンル（例えばコメディ又は音楽）を選択することができる。「サブジャンル」プルダウンボックス１１１８によって、ユーザは、利用可能なジャンルのリストからアップロードファイルに適した特徴サブジャンルを選択することができる。「送信（Submit）」ユーザ選択操作子１１２０によって、ユーザは、ユーザのスタッシュに記憶するコンテンツを送信することができる。
【００８０】
ウェブサイトは、スタッシュに記憶されるファイルを受信する前に、送信ファイルの情報（例えば必須フィールドに入力された情報）の検証を実行する。ファイルのアップロードが成功すると、ウェブサイトは、ユーザによって入力されたファイルに関する情報（メタデータ）と共に、ファイルサイズ及び作成日を取得して、これらをスタッシュに保存する。一方、ユーザがアップロード処理を中止することを選択する場合、ユーザは、「キャンセル（cancel）」ユーザ選択操作子１１２２を選択することができる。ユーザが「キャンセル」ユーザ選択操作子１１２２を選択すると、ユーザは、スタッシュマネージャページ９００に戻される。
【００８１】
ユーザ間におけるメディアコンテンツの共有
幾つかの実施の形態において、ウェブサイトのユーザは、「共有管理ページ（manage share page）」を介して、彼らのスタッシュ内のメディアコンテンツファイルを互いに共有することができる。ユーザは、以下に限定されないが、他のページ又はホッパー上で利用可能な適切なユーザ選択操作子（例えば「共有管理」ユーザ選択操作子）を選択し、又はウェブサイトに設けられた全体的なナビゲーションメニュー（例えばウェブサイトグラフィカルガイド）から選択することを含む様々な方法で、共有管理ページにアクセスすることができる。
【００８２】
一実施の形態では、ユーザが適切なユーザ選択操作子を選択すると、ウェブサイトは、ユーザがウェブサイトにログインしているかを検証する。ユーザがログインしていない場合、ユーザログインページが起動され、ユーザはログインすることができる。一旦、ユーザがウェブサイトにログインすると、ユーザは、共有管理ページにアクセスすることができる。
【００８３】
図１２に、例示的な共有管理ページ１２００を示す。共有管理ページ１２００は、ユーザのスタッシュのコンテンツをディレクトリ形式で一覧表示している。ファイル名１２０２が、ファイル作成日１２０４と共に示されている。
【００８４】
幾つかの実施の形態では、ユーザがファイル名１２０２を（例えばマウスカーソルによって）選択する（roll over）すると、ユーザに対して、情報ボックス１２１０に示すように、ファイルに関するより多くの情報が表示される。情報ボックス１２１０は、共有管理ページ１２００にファイルを提出したユーザによって提供されたファイルに関する説明に加えて、ユーザによって選択されたファイル名１２０２の特徴タイプ（すなわち、オーディオ又はビデオ）及び特徴サブタイプを、ユーザに知らせる。
【００８５】
ユーザは、各ファイルに関連した「情報」ユーザ選択操作子１２０８を選択することによって、特定のファイルについての更なる情報を見ることができる。ユーザは、各ファイルに関連した「ダウンロード」ユーザ選択操作子１２０６を選択することによって、特定のファイルをダウンロードすることを選択できる。そして、ユーザは、ダウンロード先を問われる。
【００８６】
共有管理ページ１２００には、ユーザ選択「マイショーケース」リンク１２１２が設けられており、これにより、ユーザは、ウェブサイト上のユーザのショーケースページにリンクすることができる（詳細は後に説明する）。同様に、ユーザ選択「マイスタッシュ」リンク１２１４が設けられており、これにより、ユーザは、ウェブサイト上の自分のスタッシュにリンクすることができる。更に、ユーザ選択「人物紹介」リンク１２１６が設けられており、これにより、ユーザは、ウェブサイト上の自分の人物紹介ページにリンクすることができる。
【００８７】
ユーザは、「アップロード」ユーザ選択操作子１２１８を選択することによって、共有管理ページ１２００に自分のメディアコンテンツファイルをアップロードすることができる。「アップロード」ユーザ選択操作子１２１８が選択されると、ウェブサイトは、図１３に示すように、「ファイルを共有マネージャにアップロード」ポップアップウィンドウ１３００を起動する。
【００８８】
例示的な「ファイルを共有マネージャにアップロード」ポップアップウィンドウ１３００は、ユーザが共有管理ページ１２００に置くことを希望するユーザのＵＮＤ内のメディアコンテンツの一部をユーザが置くことができるようにする「閲覧（browse）」ユーザ選択操作子１３０２を備えている。
【００８９】
一実施の形態では、ユーザは、最初に、メディアコンテンツを自分のスタッシュにアップロードし、メディアコンテンツを共有にするフラグを付けることを要求される。ユーザが所望のコンテンツの一部を選択し、選択を確認すると、選択したファイルのパスが「ファイルパス」テキストボックス１３０６に入る。「名称」フリーテキスト入力ボックス１３０８は、ユーザが選択した所望のファイル名１２０２を入力できるようにしている。これは、共有管理ページ１２００に表示されるときのファイルの名称となる。
【００９０】
ユーザがアップロード処理を中止することを選択する場合、ユーザは、「キャンセル（cancel）」ユーザ選択操作子１３１２を選択することができる。ユーザが「キャンセル」ユーザ選択操作子１３１２を選択すると、ユーザは、共有管理ページ１２００に戻される。「続行（continue）」ユーザ選択操作子１３１０により、ユーザは、アップロード処理を開始することができる。
【００９１】
一実施の形態において、ファイルが、「閲覧」ユーザ選択操作子１３０２を用いてユーザのＵＮＤに置かれ、ユーザのスタッシュにアップロードされることになっている場合、ウェブサイトは、スタッシュがアップロードファイルを許容する容量を有しているか検証する。ユーザが自分のスタッシュに十分な残量を持っている場合、ウェブサイトは、図１４に示す「共有アップロードを検証（Verify Share Upload）」ポップアップウィンドウ１４００を起動する。「ファイルタイトル」１４０２がユーザに表示される。
【００９２】
ユーザが「キャンセル（cancel）」ユーザ選択操作子１４０４を選択した場合、ウェブサイトは、特定のファイルを共有管理ページ１２００に追加しないで、ユーザを共有管理ページ１２００に戻す。ユーザが、ファイルをユーザのスタッシュにアップロードすることを希望する場合、ユーザは、「はい」ユーザ選択操作子１４０６を選択すればよい。ユーザが「はい」ユーザ選択操作子１４０６を選択すると、図１１に示す「あなたのファイルに関する詳細」ポップアップウィンドウ１１００が起動される。そして、図１１に関連して上述したように、ユーザは、ファイルに関するメタデータを入力することができる。ユーザが「キャンセル」ユーザ選択操作子１１２２を選択した場合、ウェブサイトは、特定のファイルを共有管理ページ１２００に追加しないで、ユーザを共有管理ページ１２００に戻す。一方、ユーザが「送信」ユーザ選択操作子１１２０を選択した場合、ウェブサイトは、このファイルをユーザのスタッシュに記憶する。そして、ユーザは、共有管理ページ１２００に戻される。
【００９３】
次に、ユーザがスタッシュマネージャページ９００に戻ったときには、ユーザは、新たにアップロードしたファイルを含む更新されたファイルリストを見ることができる。新たにアップロードしたファイルに関する共有インジケータ９１８は、新たにアップロードしたファイルが共有されていることを反映している。また、ユーザは、「利用可能容量」領域９２８が新たにアップロードしたファイルを追加したことによる残りの記憶容量の減少を反映していることを見ることができる。
【００９４】
再び図１３を参照すると、「ファイルを共有マネージャにアップロード」ポップアップウィンドウ１３００は、また、ユーザが、既に自分のスタッシュに記憶し、共有管理ページ１２００において共有を希望したメディアコンテンツの一部に到達できるようにした「スタッシュ閲覧（browse stash）」ユーザ選択操作子１３０４を備えている。「スタッシュ閲覧」ユーザ選択操作子１３０４が選択されると、ウェブサイトは、図１５に示す「マイスタッシュを閲覧（Browse My Stash）」ポップアップウィンドウ１５００を起動する。
【００９５】
例示的な「マイスタッシュを閲覧」ポップアップウィンドウ１５００は、スタッシュファイル表示領域１５０２を備えている。一実施の形態では、ユーザのスタッシュ内に記憶されている全てのファイルがファイル表示領域１５０２に表示される。
【００９６】
幾つかの実施の形態では、特定のフォーマットのファイル（例えば「.hlx」ファイル、「.acd」ファイル、「.wav」ファイル、「.au」ファイル、「.aif」ファイル及び「.ra」ファイルであるオーディオファイル）のみを、共有管理ページ１２００に保存してもよい。
【００９７】
これらの実施の形態では、正しいフォーマットのファイルのみを「マイスタッシュを閲覧」ポップアップウィンドウ１５００に表示してもよい。幾つかの実施の形態において、表示するファイルの数がポップアップウィンドウの大きさを超える場合、更なるファイルが見られるようにようにするユーザ選択操作子（例えば「次（next）」ユーザ選択操作子）を設け、ユーザが、これを選択できるようにしてもよい。
【００９８】
ユーザは、例えばラジオボタン又はファイルに隣接した他のユーザ選択操作子をクリックすることによって、スタッシュファイル表示領域１５０２から共有するファイルを選択してもよい。ユーザが「キャンセル（cancel）」ユーザ選択操作子１５０６を選択した場合、ウェブサイトは、特定のファイルを共有管理ページ１２００に追加しないで、ユーザを共有管理ページ１２００に戻す。
【００９９】
一方、ユーザが「続行（continue）」ユーザ選択操作子１５０４を選択した場合、ウェブサイトは、図１４に示す「共有アップロードを検証」ポップアップウィンドウ１４００を起動する。「ファイルタイトル」１４０２がユーザに表示される。ユーザが「キャンセル」ユーザ選択操作子１４０４を選択した場合、ウェブサイトは、特定のファイルを共有管理ページ１２００に追加しないで、ユーザを共有管理ページ１２００に戻す。ユーザが共有を望む場合、ユーザは、「はい」ユーザ選択操作子１４０６を選択すればよい。ユーザが「はい」ユーザ選択操作子１４０６を選択すると、ユーザは、共有管理ページ１２００に戻される。次に、ユーザがスタッシュマネージャページ９００に戻ったときには、ユーザは、更新されたファイルリストを見ることができる。
【０１００】
新たに共有にされたファイルに関する共有インジケータ９１８は、そのファイルが現在共有されていることを反映している。ファイルが既にユーザのスタッシュに存在するときは、ユーザは、最初にこのファイルをスタッシュに記憶したときに、情報を入力しているので、ファイルがユーザのＵＮＤからアップロードされたときのように、メタデータを入力することは要求されない。ユーザの共有ファイルは、ウェブサイトの他のユーザによってダウンロードすることができ、他のユーザによって、彼らのメディアコンテンツの作成に組み込まれ（incorporated）てもよい。このように、ウェブサイトのユーザは、他のユーザに「接続（connect）」することができ、これによって、ユーザは、自分のメディアコンテンツの作成を強化することができ、また、ウェブサイトでの体験を高めることができる。
【０１０１】
メディアコンテンツの公開処理
幾つかの実施の形態において、ウェブサイトは、個人化されたメディアコンテンツを、例えば所定のスタイルを有するテンプレートでブロードバンド生成プラットホームの他のユーザに表示（「公開」）する「ユーザショーケースページ（user showcase page）」を、ユーザに提供する。ユーザショーケースページは、ブロードバンド生成プラットホームの他のユーザによって見ることができる。ユーザは、メディアコンテンツを、ユーザのスタッシュ又はユーザのお気に入りのどちらから選択して、自分のユーザショーケースページ上に置くことができる。幾つかの実施の形態では、ユーザは、特定のメディアフォーマットのメディアコンテンツのみをユーザショーケースページに保存するように制限されていてもよい。例えば、一実施の形態において、ユーザは、拡張子「.rm」、「.asf」を有する動画ファイルと、拡張子「.jpg」、「.jpeg」、「.gif」を有する画像ファイルと、拡張子「.mp3」、「.wav」、「.acd」、「.hlx」を有するオーディオファイルと、拡張子「.swf」を有するフラッシュファイルとを保存することができる。ユーザショーケースページは、ユーザが個人情報及び他の情報を他のユーザに表示することができるユーザの「人物紹介ページ（bio page）」にリンクされている。ユーザのショーケースページに表示されているメディアコンテンツが特に魅力的な（compelling）場合、ウェブサイトの管理者は、そのメディアコンテンツをウェブサイトのメインページに「取り込む（ingest）」ことを選択することができる。上述したように、ユーザによってユーザのスタッシュに記憶されたメディアコンテンツは、個人的なものであり、そのユーザによってのみアクセスできるものであってもよい。なお、ユーザは、選択したコンテンツをユーザのショーケースページにロードすることを選択することができる。
【０１０２】
一実施の形態において、ユーザは、自分のショーケースページを図１６に示すユーザショーケース管理ページ１６００によって管理する。ユーザショーケース管理ページ１６００の目的は、ユーザが自分のショーケースページの情報及び内容を作成及び／又は編集することができるようにするものである。ユーザは、自分のショーケースページ上の以下の情報、すなわち、ページのタイトル又は見出し、ユーザの人物紹介／連絡先（contact）の情報を公開にするか非公開にするか、ページテンプレート、色及び配置を管理することができる。また、ユーザは、メディアコンテンツを、ユーザのスタッシュ又はお気に入りから、タイトル、アイコン、及びプロモートリンク（promote link）又はテキストリンク（text link）のどちらかを含むユーザショーケースページに追加することができる。
【０１０３】
幾つかの実施の形態では、ユーザは、ユーザショーケース管理ページ１６００にアクセスするためには、ウェブサイトに登録及びログインする必要がある。最初に、ユーザショーケース管理ページ１６００がユーザに対して表示されるときは、ユーザショーケース管理ページ１６００ページは、現在のユーザの設定で予め埋められたフィールドを有するように表示される。定型テキスト領域（Static text area）１６０２には、「ユーザ名」フィールドと共に、ページ説明（page description）が表示される。ユーザ名は、登録時にユーザによって選択されてもよい。ラジオボタン（又は他の適切なユーザ選択操作子）選択領域１６０４を設けることにより、ユーザは、連絡先情報（例えば、ユーザの電子メールアドレス及び／又は電話番号）を表示するためのリンクを提供することができる。選択領域１６０６を設けることにより、ユーザは、ショーケースページ上の関連した人物紹介ページへのリンクを提供することができる。一実施の形態では、このリンクは、ユーザの人物紹介ページとショーケースページを互いにリンクするとともに、ユーザの人物紹介ページとショーケースページのリンクを外すバイナリフィールドである。フリーテキスト入力ボックス１６０８によって、ユーザは、自分のショーケースページのタイトルを入力することができる。
【０１０４】
一実施の形態では、ユーザは、フリーテキスト入力ボックス１６０８に最大で６３文字まで文字を入力することができる。ユーザがショーケースページの名称を入力しなかった場合、ショーケースページ名は、ユーザが登録時に選択したユーザ名にデフォルト設定される。プルダウンボックス１６１０により、ユーザは、自分のスタッシュに記憶されている写真ファイルのリストから写真ファイルを選択することができる。そして、選択された写真が、自分のユーザショーケースページに表示される。一実施の形態では、ユーザのスタッシュ内の、ショーケースページとして有効な写真フォーマットの写真ファイルのみがユーザに表示される。プルダウンボックス１６１２によって、ユーザは、自分のスタッシュに記憶されているビデオファイル又はオーディオファイルのリストからファイルを選択することができる。そして、選択されたビデオクリップ又はオーディオクリップは、ユーザが選択可能なビデオクリップ又はオーディオクリップとして、ユーザショーケース上に大きく表示（featured）される。
【０１０５】
一実施の形態では、ユーザのスタッシュ内の、ショーケースページとして有効なビデオフォーマット又はオーディオフォーマットのビデオファイル又はオーディオファイルのみが、ユーザに表示される。プルダウンボックス１６１４によって、ユーザは、ユーザショーケースページの所定のテンプレートを選択することができる。このテンプレートは、ショーケースページの書式（すなわち、ページの構成要素がページのどこに位置するか）を定義するものである。プルダウンボックス１６１６によって、ユーザは、ユーザショーケースページの背景のカラーパレットを選択することができる。テンプレートプレビューウィンドウ１６２０を設けることによって、ユーザは、テンプレートのスタイルをプレビューすることができる。ショーケースページのテンプレートのサムネイル例がユーザに表示される。
【０１０６】
一実施の形態では、このテンプレートプレビューページには機能はない（すなわち、画像は静的である）。一実施の形態では、ユーザがテンプレート又は背景のカラーパレットを選択しなかった場合、所定のデフォルトのテンプレート及びカラーパレットが使用される。プルダウンボックス１６１８によって、ユーザは、ユーザのショーケースページのタイプを反映したジャンル（例えばコメディ、ドラマ、アクション、音楽等）を指定することができる。
【０１０７】
「人物紹介を編集（Edit bio）」リンク１６２２は、ユーザを「人物紹介を編集」タブを含むユーザ設定ページにリンクする。そして、ユーザは、編集のためのユーザの人物紹介ページにリンクするタブを選択することができる。ユーザが自分の名前を入力し、自分のショーケースページの好みを一旦選択すると、ユーザは、「続行」ユーザ選択操作子１６２４をクリック又は選択することができる。「続行」ユーザ選択操作子１６２４が選択されたときに、ユーザによって入力された情報は、例えば、図１に示す記憶装置１０８に保存され、図１７に示すショーケース管理ページ１７００が起動される。例示的なショーケース管理ページ１７００は、定型テキスト領域１７０２を備えている。定型テキスト領域１７０２は、ページ説明を表示している。また、ショーケース管理ページ１７００は、テンプレートプレビュー領域１７０４を備え、テンプレートプレビュー領域１７０４によって、ユーザは、ユーザショーケース管理ページ１６００上でユーザが選択したテンプレートをプレビューすることができる。ユーザが、ショーケース管理ページ１７００上に現在表示されているユーザショーケースページのテンプレートが気に入らない場合、ユーザは、「戻る（back）」ユーザ選択操作子１７１８を選択することによって、前のページに戻ることができる。そして、ユーザは、ユーザショーケース管理ページ１６００に戻って、新たなテンプレートを選択してもよい。
【０１０８】
一実施の形態では、テンプレートプレビュー領域１７０４は、例えば、ユーザがメディアコンテンツへのプロモートリンク又はテキストリンクを張ることができるユーザショーケースページ上の領域を表す、番号が付けられた「スロット（slots）」を備えている。利用可能なスロットの数は、ユーザショーケース管理ページ１６００上でユーザによって選択されたテンプレートに依存している。これらのスロットは、最初は空欄であってもよい。ユーザは、コンテンツの一部を配置する所望の場所として、番号が付けられたスロットの１つをクリック又は選択する。スロットを一旦選択すると、ユーザは、選択されたスロットに配置するメディアコンテンツへのリンクを選択することができる。ユーザは、プルダウンボックス１７０６を選択することによってユーザのスタッシュ内に記憶されたメディアコンテンツにリンクすることができる。あるいは、ユーザは、プルダウンボックス１７０８を選択することによってユーザがお気に入りとして以前に指定したメディアコンテンツへのリンクを選択することができる。
【０１０９】
そして、一実施の形態では、ユーザのスタッシュ又はお気に入り内の、ショーケースページとして有効なビデオフォーマット又はオーディオフォーマットのビデオファイル又はオーディオファイルが、ユーザに表示され、ユーザは、これらのうちの１つを選択して、テンプレートプレビュー領域１７０４上の選択されたスロットに配置することができる。また、ユーザは、プルダウンボックス１７０６、１７０８において「ブランク（blank）」を選択することもできる。「ブランク」が選択されると、現在選択されたスロットに配置されているメディアコンテンツは消去され、そのスロットは再び空欄に戻される。ユーザは、スタッシュから又はウェブサイトによって準備されている画像から画像を選択して、コンテンツの一部をユーザショーケースページ上の選択されたスロットに配置することができる。プルダウンボックス１７１０によって、ユーザは、ユーザのスタッシュに保存されている画像を選択することができ、一方、プルダウンボックス１７１２によって、ユーザは、ウェブサイトの画像を選択することができる。スタッシュ内の、ユーザショーケースページとして有効な写真フォーマットのファイルのみが、選択のためにユーザに表示される。
【０１１０】
幾つかの実施の形態では、この機能は、リンクのためには使用することができない（すなわち、ユーザは、画像をスロット内のリンクに関連させることはできない）。一旦、スロットに配置されると、プレビュー画像は、スロットが満たされていることを反映する。あるいは、ユーザは、ユーザによって選択可能であって特定のメディアコンテンツにリンクするリンクテキスト（すなわち、テキストプロモート）を、スロットに配置することができる。例えば、テンプレートプレビュー領域１７０４におけるスロット番号７〜１６には、オーディオ及びビデオメディアコンテンツの１０個の独立したアイテムに対して１０個の独立したテキストプロモートを配置することができる。フリーテキスト入力ボックス１７１４によって、ユーザは、選択したスロットに配置するコンテンツの一部に対するタイトルを入力することができる。
【０１１１】
一実施の形態では、ユーザは、最大文字数が制限されている。このタイトルは、ユーザショーケースページ上のメディアコンテンツに関連したテキスト又は画像に近接して表示される。また、タイトルは、ユーザショーケースページ間を検索するための分類キー（sorting key）の一部として（すなわち、メタデータとして）用いることができる。ユーザが一旦、所望のスロットに所望の情報を配置して入力し、及び／又は選択すると、ユーザは、「追加（Add）」ユーザ選択操作子１７１６を選択することができる。「追加」ユーザ選択操作子１７１６により、選択されたメディアコンテンツの一部を、関連したメタデータと共に、ユーザショーケースページに追加することができる。プレビュー画像内の選択されたスロットには、選択された画像又はリンクが一時的に配置され、ユーザショーケースページに関する情報が一時的に保存される。
【０１１２】
また、幾つかの実施の形態では、このとき、お気に入りへのあらゆるリンクがウェブサイト上でアクティブリンクとして検証される。非アクティブの場合、ユーザにエラーメッセージが表示される。ユーザは、上述したステップを、テンプレートプレビュー領域１７０４の全てのスロットに対して繰り返してもよい。ユーザは、全ての所望のスロットをメディアコンテンツで満たしたとき、ユーザは、「実行（done）」ユーザ選択操作子１７２０を選択することができる。「実行」ユーザ選択操作子１７２０が選択されると、ユーザショーケースページは、ショーケース管理ページ１７００上でユーザによって入力されたメディアコンテンツ及び情報で更新される。
【０１１３】
図１８は、例示的なユーザショーケースページ１８００を示している。ユーザショーケースページ１８００は、例えば、ユーザの人物紹介ページにある「ショーケースページリンク（Showcase Page Link）」を選択し、検索結果から「ショーケースページリンク」を選択し、グラフィカルガイドの結果から「ショーケースページリンク」を選択し、又はユーザ名と共に、ウェブサイトのＵＲＬ、例えば「WWW.website.com/USERNAME」をウェブブラウザに入力することによって、アクセスされる。ユーザ名は、ユーザショーケースページ１８００の定型テキスト領域１８０２に表示される。幾つかの実施の形態では、ユーザ名は、登録時にユーザによって選択される。また、ユーザショーケースページ１８００のタイトルも、定型テキスト領域１８０２に表示される。ユーザショーケースページ１８００のタイトルは、図１６に関連して上述したように、ユーザショーケース管理ページ１６００上のフリーテキスト入力ボックス１６０８において、ユーザによって入力することができる。
【０１１４】
幾つかの実施の形態では、ユーザが自分の名前を入力しなかった場合、ユーザショーケースページ１８００には、ディフォルトの、例えば「ショーケース（Showcase）」が表示されてもよい。「人物紹介を編集」リンク１８０４は、ユーザを、「人物紹介を編集」タブを含むユーザ設定ページにリンクする。そして、ユーザは、ユーザの人物紹介を編集するために、「人物紹介を編集」タブを選択することができる。表示領域１８０６には、ユーザがユーザショーケース管理ページ１６００上のプルダウンボックス１６１０を介して表示する写真を選択している場合、ユーザが選択した写真が、オプションとして表示される。同様に、表示領域１８０８には、ユーザショーケース管理ページ１６００上のプルダウンボックス１６１２を介し、ユーザによって選択されたオーディオクリップ又はビデオクリップが、オプションとして配置される。メディアコンテンツがオーディオの場合、ユーザ選択操作子、例えば、以下に限定されないが、クリック可能な「試聴（listen）」アイコンにより、オーディオファイルを再生するオーディオポッパーを起動することができる。同様に、メディアコンテンツがビデオの場合、ユーザ選択操作子、例えば、以下に限定されないが、クリック可能な「再生（play）」アイコンにより、ビデオファイルを再生するビデオポッパーを起動することができる。
【０１１５】
幾つかの実施の形態では、ユーザショーケースページ１８００は、広告バナー１８１０を含むことができ、この広告バナー１８１０は、以下に限定されないが、広告文句、広告主のウェブサイト及び商品画像にリンクするためのユーザが選択可能なＵＲＬリンクを含む構成要素が含まれるように、ウェブサイトの管理者によってプログラミングされていてもよい。更に、「これを友達に送る（Send This to a friend）」ユーザ選択操作子１８１２は、選択されたときに、電子メールを介して、現在のユーザショーケースページ１８００へのリンクを受信者に送る。「あなたのショーケースを作成（Create Your Own Showcase）」ユーザ選択操作子１８１４は、選択されたときに、例示的なユーザショーケースページ１８００にアクセスしている他のユーザ（すなわち、現在のユーザショーケースページ１８００の作成者ではない）を、彼ら自身のユーザショーケースを作成するために、ユーザショーケース管理ページ１６００にリンクする。
【０１１６】
ユーザショーケースページを作成するためには、ログインすることが必要な実施の形態では、ユーザは、自分のユーザショーケースページを作成する前にログインできるように、ユーザログインページを起動するためのこの「あなたのショーケースを作成」ユーザ選択操作子１８１４を、まず選択する。「他のショーケースを見る（view other showcase）」ユーザ選択操作子１８１６は、選択されたときに、ユーザを、ウェブサイトグラフィカルガイドの一部、幾つかの実施の形態においてはウェブサイト上のユーザショーケースページのリストを表示した部分にリンクする。ユーザショーケースページは、タイトル、ジャンル、特徴タイプ又は他のメタデータ毎に一覧表示される。そして、ユーザは、ガイドリストを進み、所望のユーザショーケースページを選択することができる。そして、そのユーザショーケースページがウェブサイトによって起動される。グラフィックプロモート領域１８１８には、メディアコンテンツへのリンク、例えば、以下に限定されないが、メディアコンテンツのユーザによって選択可能な表示を含むプロモートリンクが配置される。これらのプロモートは、上述したショーケース管理ページ１７００に関連して上述したステップにおいて、ユーザによって設定され、メディアコンテンツへのリンクが配置される。
【０１１７】
グラフィックプロモート領域１８１８内の各プロモートは、図１８に示すように、ファイルフォーマットに基づくオーディオ又はビデオとして指定されてもよい。例えば、ファイルの拡張子が「.aif」、「.wav」、「.au」又は「.ra」の場合、オーディオタイトル（audio designation）が表示される。同様に、ファイルの拡張子が「.rm」、「.asf」又は「.swf」の場合、ビデオタイトル（video designation）が表示される。幾つかの実施の形態では、これらのタイトルは、定型テキストであって、機能を有しない。例示的なユーザショーケースページ１８００に表示されるグラフィックプロモートの数は、ユーザショーケース管理ページ１６００に関連して上述したテンプレートを選択するステップによって定まる。グラフィックプロモート領域１８１８内の各プロモートは、ユーザによって選択可能であり、メディアコンテンツをユーザが知覚可能な形式で再生するメディアプレーヤにリンクされてもよい。プロモートは、選択されると、そのプロモートに関連したメディアコンテンツを再生するのに適切なポッパー（例えばオーディオ及び／又はビデオメディアプレーヤポップアップウィンドウ）を起動する。
【０１１８】
一実施の形態では、グラフィックプロモート領域１８１８内の各プロモートの下には、プロモートに関連したメディアコンテンツのタイトル及び評価を含む定型テキスト領域が設けられている。グラフィックプロモート領域１８１８の下に表示されるタイトル及び評価は、例示的なユーザショーケースページ１８００上では何の機能も有しない（すなわち、それらは定型テキストである）。タイトルは、ショーケース管理ページ１７００上のフリーテキスト入力ボックス１７１４にユーザによって入力されたタイトルである。幾つかの実施の形態では、ウェブサイトのユーザは、ユーザショーケースページ１８００を介して体験した（experienced）メディアコンテンツを評価することができる。ユーザショーケースページ１８００上のプロモートを選択することによって起動されるオーディオ又はビデオポッパーは、このプロモートに関連したメディアコンテンツを再生する。ポッパーは、評価機能を有していてもよい（例えば、ユーザ選択操作子又はフリーテキスト入力ボックスに）。この評価機能によって、ユーザは、特定のプロモートに関連したメディアコンテンツに対する評価の機会が与えられる。
【０１１９】
この実施の形態では、各グラフィックプロモート領域１８１８の下の定型テキスト領域に示すように、平均評価がユーザショーケースページ１８００に表示される。上述のように、グラフィックプロモートに加えて、ユーザは、メディアコンテンツへのリンクを提供するテキストプロモートを含むようにユーザショーケースページ１８００を構成することもできる。この具体例を、テキストプロモート領域１８２０に示す。上述したグラフィックプロモートと同様に、各テキストプロモートは、オーディオ又はビデオとして指定される。この指定は、テキストプロモートに隣接したタイトル及び評価と同様に、定型であって、機能を有しない。テキストプロモートは、選択されたときに、ファイルフォーマットに基づいて、適切なポッパー、すなわちオーディオ又はビデオの何れかのポッパーを起動する。テキストプロモートの数は、上述したように、テンプレートの選択によって決定される。このように、ユーザは、自分のメディア作品を表示するために、ユーザショーケース管理ページ１６００及びショーケース管理ページ１７００を用いて、例示したユーザショーケースページ１８００のようなユーザショーケースページを構成することができる。ウェブサイトの管理者は、ユーザが生成した特に興味深いメディアコンテンツを見付け出すために、ユーザショーケースを定期的に閲覧してもよい。そのようなメディアコンテンツを見付けた場合、ユーザのメディアコンテンツは、ホームページ（又は他のウェブサイトページ）内に取り込まれ、音楽家、ディレクタ及び写真家のようなプロのメディアアーティストから許可されたメディアコンテンツに並べられて表示される。
【０１２０】
このように、上述したメディアコンテンツの作成、編集、共有及び公開のためのブロードバンド生成プラットホームの実施の形態によれば、ユーザは、ブロードバンド生成プラットホームによって提供されるメディア作成及び編集ツール及びデジタル資産を用いて、メディアコンテンツを生成し、編集することができる。その上、上述したメディアコンテンツの作成、編集、共有及び公開のためのブロードバンド生成プラットホームの実施の形態によれば、ユーザは、自分のメディアコンテンツをより多くの視聴者に表示することができる。更に、上述したメディアコンテンツの作成、編集、共有及び公開のためのブロードバンド生成プラットホームの実施の形態によれば、ユーザは、メディアコンテンツを、このブロードバンド生成プラットホームの他のユーザと共有することができる。更に、上述したメディアコンテンツの作成、編集、共有及び公開のためのブロードバンド生成プラットホームの実施の形態によれば、ユーザは、自分のメディアコンテンツをプロのメディアコンテンツクリエータによって作成されたメディアコンテンツに並べて表示することができる。
【０１２１】
上述したブロードバンド生成プラットホームは、ワールドワイドウェブ及びインターネットを介し、ウェブサイトとしてアクセス可能なネットワークサーバのコンピュータシステム（「ウェブサイト」と呼ぶ）で実施することに主眼を置いている。しかしながら、上述したシステム及び方法の多く又は全ては、他のデータ接続、以下に限定されるものではないが、他のインターネット接続インタフェース（例えばＦＴＰサーバ）、プライベートネットワーク（例えば、加入者にＩＳＰによって提供されるネットワーク）、直接接続（例えば、ホテル、オフィスビルディング、教育施設等の限定された領域内で有線接続されたステーションの組）等に、容易に適用することができる。さらに、ユーザがコンピュータシステムを用いてウェブサイトにアクセスし、メディアコンテンツを作成及び編集し、電子ファイルをダウンロードする実施の形態を説明したが、コンピュータシステムは、パーソナルコンピュータシステムであっても、他のいかなる適切なコンピュータシステムであってもよい。なお、上述したシステム及び方法の多く又は全ては、サーバにアクセスし、サーバからデータをダウンロードするために用いられる他のＵＮＤにも容易に適用することができ、このようなＵＮＤには、以下に限定されるものではないが、ケーブルモデム及びハードディスクに接続され、又はケーブルモデム及びハードディスクが内部に組み込まれたテレビジョン受信機、個人用情報携帯端末（personal digital assistant：ＰＤＡ）、メディアプレーヤ、携帯電話機、及びコンテンツを保存する記憶装置及び／又はユーザにメディアコンテンツを再生又は表示する表示メカニズムを備える他の適切なネットワーク対応機器が含まれる。
【０１２２】
本発明の様々な実施の形態は、上述した特徴及び機能のうちの１つ以上の特徴又は機能を含んでいてもよい。実施の形態の一例は、上述した全ての特徴及び機能を含む。したがって、メディアコンテンツの作成及び公開システム及びその方法の一例を説明した。一実施の形態として、ユーザが、自分のメディアコンテンツを作成及び編集するために、オンラインでアクセスし、又はダウンロードすることができる作成及び編集ツールを提供するブロードバンド生成プラットホームのウェブサイトを説明している。そして、ユーザは、自分のメディアコンテンツをウェブサイトの他のユーザに表示することができる。
【０１２３】
一実施の形態において、ウェブサイトは、多くのウェブページ及びメディアコンテンツの作成及び公開処理を容易にする他のプログラミングされた要素をユーザに表示し、これにより、ユーザは、メディアコンテンツを作成及び編集し、ユーザの記憶領域にメディアコンテンツを保存及び管理することができ、また、ユーザは、ウェブサイトによって提供されるメディアコンテンツと同様に、ユーザのメディアコンテンツを表示する「ユーザショーケースページ」を構成及び配置することができる。ウェブサイトの他のユーザは、ユーザショーケースページを閲覧することができる。更に、ウェブサイトのユーザは、「共有管理ページ」を介して、他のユーザとメディアコンテンツを共有することができる。
【０１２４】
上述した本発明の実施の形態の詳細な説明、図面及び特許請求の範囲により、本発明の実施の形態の上述した及び他の目的、特徴、利点は、当業者にとって明らかとなる。なお、上述の説明では、本発明の実施の形態の構成及び機能の詳細と共に、本発明の実施の形態の多くの特徴及び利点を明らかにしたが、ここに開示した形態は、例示的なものにすぎない。特許請求の範囲を表現する広範な意味の用語によって示される本発明の原理の最大限の範囲内において、特に構成の要素及び部分的な処理等の詳細を変更してもよい。本発明の最良の実施の形態を例示的に開示したが、特許請求の範囲に定義される本発明の範囲から逸脱することなく、ここに開示した実施の形態を様々に修正し、変更することができる。
【図面の簡単な説明】
【０１２５】
【図１】  本発明に基づくシステム及び方法が採用されるクライアント−サーバシステムを例示的に示す図である。
【図２】  本発明に基づくウェブサイトホームページの実施の形態を示す図である。
【図３】  本発明に基づくアクションチャンネルホームページの実施の形態を示す図である。
【図４】  本発明に基づく作成チャンネルページの実施の形態を示す図である。
【図５】  本発明に基づく作成ツールアプリケーションページの実施の形態を示す図である。
【図６】  本発明に基づくデジタルメディア編集アプリケーションの実施の形態を示す図である。
【図７】  本発明に基づく要素が配置されたタイムラインの実施の形態を示す図である。
【図８】  本発明に基づくダウンロードツールページの実施の形態を示す図である。
【図９】  本発明に基づくスタッシュマネージャページの実施の形態を示す図である。
【図１０】  本発明に基づく「ファイルをスタッシュにアップロード（Upload File To Stash）」ポップアップウィンドウの実施の形態を示す図である。
【図１１】  本発明に基づく「あなたのファイルについての詳細」ポップアップウィンドウの実施の形態を示す図である。
【図１２】  本発明に基づく共有管理ページの実施の形態を示す図である。
【図１３】  本発明に基づく「ファイルを共有マネージャにアップロード」ポップアップウィンドウの実施の形態を示す図である。
【図１４】  本発明に基づく「共有アップロードを検証」ポップアップウィンドウの実施の形態を示す図である。
【図１５】  本発明に基づく「マイスタッシュを閲覧」ポップアップウィンドウの実施の形態を示す図である。
【図１６】  本発明に基づくユーザショーケース管理ページの実施の形態を示す図である。
【図１７】  本発明に基づくショーケース管理ページの実施の形態を示す図である。
【図１８】  本発明に基づくユーザショーケースページの実施の形態を示す図である。
【図１】
0004754171.tif 000002
【図２】
0004754171.tif 000003
【図３】
0004754171.tif 000004
【図４】
0004754171.tif 000005
【図５】
0004754171.tif 000006
【図６】
0004754171.tif 000007
【図７】
0004754171.tif 000008
【図８】
0004754171.tif 000009
【図９】
0004754171.tif 000010
【図１０】
0004754171.tif 000011
【図１１】
0004754171.tif 000012
【図１２】
0004754171.tif 000013
【図１３】
0004754171.tif 000014
【図１４】
0004754171.tif 000015
【図１５】
0004754171.tif 000016
【図１６】
0004754171.tif 000017
【図１７】
0004754171.tif 000018
【図１８】
0004754171.tif 000019